(57)【要約】【課題】   一枚の表示板の上に２つの電場生成電極を形成し、データ線と共通電極との間のカップリングによって発生する共通電圧のリップルを防ぎながらも、製造コストの高騰を防ぐことのできる液晶表示装置の提供。【解決手段】   絶縁基板と、絶縁基板の上に形成されるゲート線、データ線及び補償電圧線と、ゲート線、データ線及び補償電圧線の上に形成される第１の保護膜と、第１の保護膜の上に形成され、ゲート線及びデータ線に接続される画素電極及び補償電圧線に接続される補償電極と、第１の保護膜の上に形成される共通電極と、画素電極及び補償電極と共通電極との間に形成される第２の保護膜と、を備え、補償電極は、データ線の少なくとも一部分と重なり合う液晶表示装置。【選択図】  図１
2015114669.tif 000002
【特許請求の範囲】
【請求項１】
絶縁基板と、
前記絶縁基板の上に形成されるゲート線、データ線及び補償電圧線と、
前記ゲート線、データ線及び補償電圧線の上に形成される第１の保護膜と、
前記第１の保護膜の上に形成され、前記ゲート線及び前記データ線に接続される画素電極及び前記補償電圧線に接続される補償電極と、
前記第１の保護膜の上に形成される共通電極と、
前記画素電極及び前記補償電極と前記共通電極との間に形成される第２の保護膜と、
を備え、
前記補償電極は、前記データ線の少なくとも一部分と重なり合う液晶表示装置。
【請求項２】
前記補償電圧線は、前記データ線と同一層で形成される請求項１に記載の液晶表示装置。
【請求項３】
前記補償電圧線は、前記データ線と平行に延びる請求項２に記載の液晶表示装置。
【請求項４】
前記補償電圧線は、隣り合う２本の前記データ線の間に配設される請求項３に記載の液晶表示装置。
【請求項５】
前記データ線は複数のデータ線を備え、
前記補償電極は、前記複数のデータ線のうちの少なくとも一部の前記データ線と重なり合う請求項４に記載の液晶表示装置。
【請求項６】
前記共通電極は前記データ線と重なり合い、
前記共通電極は前記補償電極と重なり合う請求項５に記載の液晶表示装置。
【請求項７】
前記補償電圧線は、前記ゲート線と同一層で形成される請求項１に記載の液晶表示装置。
【請求項８】
前記データ線は複数のデータ線を備え、
前記補償電極は、前記複数のデータ線のうちの少なくとも一部の前記データ線と重なり合う請求項１に記載の液晶表示装置。
【請求項９】
前記共通電極は、前記データ線と重なり合い、
前記共通電極は、前記補償電極と重なり合う請求項１に記載の液晶表示装置。
【請求項１０】
前記画素電極及び前記補償電極は、同一層で形成される請求項１に記載の液晶表示装置。
【発明の詳細な説明】
【技術分野】
【０００１】
本発明は、液晶表示装置に関する。
【背景技術】
【０００２】
液晶表示装置（Ｌｉｑｕｉｄ Ｃｒｙｓｔａｌ Ｄｉｓｐｌａｙ）は、現在最も幅広く用いられているフラットパネル表示装置（Ｆｌａｔ  Ｐａｎｅｌ Ｄｉｓｐｌａｙ）の一つであり、電極に電圧を印加して液晶層の液晶分子を再配列させることにより透過する光の量を調節する表示装置である。
【０００３】
液晶表示装置は薄形化し易いというメリットを有しているとはいえ、前面視認性に比べての側面視認性が比較的劣るという欠点があるため、これを克服するための種々の液晶配列方式及び駆動方法が開発されている。このような広視野角を実現するための方法として、画素電極及び共通電極を一枚の基板に形成する液晶表示装置が注目を集めている。
【０００４】
この種の液晶表示装置の場合、画素電極及び共通電極という２つの電場生成電極のうちの少なくとも一方は複数の切欠部を有し、複数の切欠部によって規定される複数の枝電極を有することになる。
【０００５】
このように、一枚の表示板の上に２つの電場生成電極を形成する場合、各電場生成電極を形成するためには異なる光マスクが必要であり、これに伴い、製造コストが高騰する。
【０００６】
また、所定の大きさの電圧が印加される共通電極が互いに接続される場合、データ線と共通電極が重なり合って、データ線と共通電極との間のカップリングによって共通電圧のリップルが発生する虞がある。
【０００７】
このような共通電圧のリップルは、ちらつきなどの表示品質の低下を来たす。
【発明の開示】
【発明が解決しようとする課題】
【０００８】
本発明が解決しようとする技術的課題は、一枚の表示板の上に２つの電場生成電極を形成し、データ線と共通電極との間のカップリングによって発生する共通電圧のリップル（ｒｉｐｐｌｅ）を防ぎながら、製造コストの高騰を防ぐことのできる液晶表示装置を提供することにある。
【課題を解決するための手段】
【０００９】
本発明の一実施形態に係る液晶表示装置は、絶縁基板と、絶縁基板の上に形成されるゲート線、データ線及び補償電圧線と、ゲート線、データ線及び補償電圧線の上に形成される第１の保護膜と、第１の保護膜の上に形成され、ゲート線及びデータ線に接続される画素電極及び補償電圧線に接続される補償電極と、第１の保護膜の上に形成される共通電極と、画素電極及び補償電極と共通電極との間に形成される第２の保護膜と、を備え、補償電極は、データ線の少なくとも一部分と重なり合う。
【００１０】
好ましくは、補償電圧線は、データ線と同一層で形成される。
【００１１】
また、好ましくは、補償電圧線は、データ線と平行に延びる。
【００１２】
さらに、好ましくは、補償電圧線は、隣り合う２本のデータ線の間に配設される。
【００１３】
さらに、好ましくは、データ線は複数のデータ線を備え、補償電極は、複数のデータ線のうちの少なくとも一部のデータ線と重なり合う。
【００１４】
さらに、好ましくは、共通電極はデータ線と重なり合い、共通電極は補償電極と重なり合う。
【００１５】
さらに、好ましくは、共通電極はデータ線と重なり合う位置に形成されている切欠部を有する。
【００１６】
さらに、好ましくは、第２の保護膜は画素電極及び補償電極の上に位置し、共通電極の下に位置する。
【００１７】
さらに、好ましくは、共通電極は第１の切欠部を有し、第２の保護膜は第２の切欠部を有し、第１の切欠部の周縁は第２の切欠部の周縁と重なり合う。
【００１８】
さらに、好ましくは、第２の保護膜は共通電極の上に位置し、画素電極及び補償電極の下に位置する。
【００１９】
さらに、好ましくは、画素電極と補償電極は、同一層で形成される。
【００２０】
さらに、好ましくは、補償電圧線は、ゲート線と同一層で形成される。
【００２１】
さらに、好ましくは、補償電圧線は、ゲート線と平行に延びる。
【発明の効果】
【００２２】
本発明の実施形態に係る液晶表示装置によれば、一枚の表示板の上に２つの電場生成電極を形成し、データ線と共通電極との間のカップリングによって発生する共通電圧のリップル（ｒｉｐｐｌｅ）を防ぎながら、製造コストの高騰を防ぐことができる。
【図面の簡単な説明】
【００２３】
【図１】本発明の一実施形態に係る液晶表示装置の配置図である。
【図２】図１における液晶表示装置をＩＩ-ＩＩ線に沿って切り取った断面図である。
【図３】図１における液晶表示装置をＩＩＩ-ＩＩＩ線に沿って切り取った断面図である。
【図４】図１における液晶表示装置をＩＶ-ＩＶ線に沿って切り取った断面図である。
【図５】図１における液晶表示装置をＶ-Ｖ線に沿って切り取った断面図である。
【図６】図１における液晶表示装置をＶＩ-ＶＩ線に沿って切り取った断面図である。
【図７】本発明の一実施形態に係る液晶表示装置に印加される一部の信号の波形図である。
【図８】本発明の他の実施形態に係る液晶表示装置の配置図である。
【図９】本発明の他の実施形態に係る液晶表示装置の配置図である。
【図１０】図９における液晶表示装置をＸ-Ｘ線に沿って切り取った断面図である。
【図１１】図９における液晶表示装置をＸＩ-ＸＩ線に沿って切り取った断面図である。
【図１２】本発明の他の実施形態に係る液晶表示装置の配置図である。
【図１３】図１２における液晶表示装置をＸＩＩＩ-ＸＩＩＩ線に沿って切り取った断面図である。
【図１４】図１２における液晶表示装置をＸＩＶ-ＸＩＶ線に沿って切り取った断面図である。
【図１５】図１２における液晶表示装置をＸＶ-ＸＶ線に沿って切り取った断面図である。
【図１６】図１２における液晶表示装置をＸＶＩ-ＸＶＩ線に沿って切り取った断面図である。
【図１７】図１２における液晶表示装置をＸＶＩＩ-ＸＶＩＩ線に沿って切り取った断面図である。
【図１８】本発明の他の実施形態に係る液晶表示装置の配置図である。
【図１９】図１８における液晶表示装置をＸＩＸ-ＩＸ線に沿って切り取った断面図である。
【図２０】図１８における液晶表示装置をＸＸ-ＸＸ線に沿って切り取った断面図である。
【図２１】図１８における液晶表示装置をＸＸＩ-ＸＸＩ線に沿って切り取った断面図である。
【図２２】図１８における液晶表示装置をＸＸＩＩ-ＸＸＩＩ線に沿って切り取った断面図である。
【図２３】図１８における液晶表示装置をＸＸＩＩＩ-ＸＸＩＩＩ線に沿って切り取った断面図である。
【図２４】本発明の他の実施形態に係る液晶表示装置の配置図である。
【図２５】図２４における液晶表示装置をＸＸＶ-ＸＸＶ線に沿って切り取った断面図である。
【図２６】図２４における液晶表示装置をＸＸＶＩ-ＸＸＶＩ線に沿って切り取った断面図である。
【図２７】本発明の他の実施形態に係る液晶表示装置の配置図である。
【図２８】図２７における液晶表示装置をＸＸＶＩＩＩ-ＸＸＶＩＩＩ線に沿って切り取った断面図である。
【図２９】図２７における液晶表示装置をＸＸＩＸ-ＸＸＩＸ線に沿って切り取った断面図である。
【図３０】図２７における液晶表示装置をＸＸＸ-ＸＸＸ線に沿って切り取った断面図である。
【図３１】図２７における液晶表示装置をＸＸＸＩ-ＸＸＸＩ線に沿って切り取った断面図である。
【図３２】図２７における液晶表示装置をＸＸＩＩ-ＸＸＸＩＩ線に沿って切り取った断面図である。
【図３３】本発明の他の実施形態に係る液晶表示装置の配置図である。
【図３４】図３３における液晶表示装置をＸＸＸＩＶ-ＸＸＸＩＶ線に沿って切り取った断面図である。
【図３５】図３３における液晶表示装置をＸＸＸＶ-ＸＸＸＶ線に沿って切り取った断面図である。
【図３６】本発明の他の実施形態に係る液晶表示装置の配置図である。
【図３７】図３６における液晶表示装置をＸＸＸＶＩＩ-ＸＸＸＶＩＩ線に沿って切り取った断面図である。
【図３８】図３６における液晶表示装置をＸＸＸＶＩＩＩ-ＸＸＸＶＩＩＩ線に沿って切り取った断面図である。
【図３９】本発明の他の実施形態に係る液晶表示装置の配置図である。
【発明を実施するための最良の形態】
【００２４】
次に、本発明に係る液晶表示装置を実施するための形態の具体例を図面を参照しながら説明する。
【００２５】
しかしながら、本発明は、ここで説明する実施形態に何ら限定されるものではなく、他の形態にも具体化可能である。むしろ、ここで紹介する実施形態は、開示する内容を徹底し且つ完全たるものにし、且つ、当業者に本発明の思想を十分に伝えるために提供するものである。
【００２６】
図中、層及び領域の厚さは、明確性を図るために誇張されている。なお、層、膜、領域、板などの部分が他の部分の「上」にあるとしたとき、これは、他の部分の「真上」にある場合だけではなく、これらの間に他の部分が挟持されている場合もありうる。逆に、ある部分が他の部分の「真上」にあるとしたときには、これらの間に他の部分が挟持されていないことをいう。明細書全般に亘って同じ構成要素には同じ参照番号を附す。
【００２７】
以下、添付図面に基づき、本発明の実施形態に係る液晶表示装置について説明する。
【００２８】
まず、図１から図６に基づき、本発明の一実施形態に係る液晶表示装置について説明する。
【００２９】
図１は、本発明の一実施形態に係る液晶表示装置の配置図であり、図２は、図１における液晶表示装置をＩＩ-ＩＩ線に沿って切り取った断面図であり、図３は、図１における液晶表示装置をＩＩＩ-ＩＩＩ線に沿って切り取った断面図である。また、図４は、図１における液晶表示装置をＩＶ-ＩＶ線に沿って切り取った断面図であり、図５は、図１における液晶表示装置をＶ-Ｖ線に沿って切り取った断面図であり、図６は、図１における液晶表示装置をＶＩ-ＶＩ線に沿って切り取った断面図である。
【００３０】
図１から図６を参照すると、本発明の一実施形態に係る液晶表示装置は、向かい合う下部表示板１００及び上部表示板２００と、これらの間に挟持されている液晶層３と、を備える。
【００３１】
まず、下部表示板１００について説明する。
【００３２】
透明ガラス製またはプラスチック製の第１の絶縁基板１１０の上に、複数の第１のゲート線１２１ａ及び第２のゲート線１２１ｂが形成される。
【００３３】
第１のゲート線１２１ａ及び第２のゲート線１２１ｂは、画素行と画素行との間に対をなして配置される。
【００３４】
第１のゲート線１２１ａは第１のゲート電極１２４ａを備え、第２のゲート線１２１ｂは第２のゲート電極１２４ｂを備える。各ゲート線１２１ａ、１２１ｂは、他の層または外部駆動回路との接続のための広いゲートパッド部１２９を備える。
【００３５】
複数のゲート線１２１ａ、１２１ｂの上には、ゲート絶縁膜１４０が形成される。
【００３６】
ゲート絶縁膜１４０の上には、第１の半導体１５４ａ及び第２の半導体１５４ｂが形成される。半導体１５４ａ、１５４ｂは、酸化物半導体を含んでもよい。
【００３７】
半導体１５４ａ、１５４ｂの上には、オーミックコンタクト部材１６３ａ、１６５ａが形成される。半導体１５４ａ、１５４ｂが酸化物半導体を含む場合、オーミックコンタクト部材１６３ａ、１６５ａは省略可能である。
【００３８】
オーミックコンタクト部材１６３ａ、１６５ａの上には、複数のデータ線１７１と、複数のドレイン電極１７５ａ、１７５ｂと、複数の補償電圧線１３１と、が形成される。
【００３９】
データ線１７１はデータ信号を転送し、主として縦方向に延びてゲート線１２１ａ、１２１ｂと交差する。各データ線１７１は、２つの画素列ごとに一つずつ配置される。
【００４０】
データ線１７１は、液晶表示装置の透過率を最大にするために折り曲げられた形状を有する第１の折曲部を有し、第１の折曲部は，画素領域の中間領域におけるＶ字状のところで、第１の折曲部と所定の角度をなすように折り曲げられる第２の折曲部と接続される。
【００４１】
各データ線１７１は、第１のゲート電極１２４ａに向かって延びる第１のソース電極１７３ａと、第２のゲート電極１２４ｂに向かって延びる第２のソース電極１７３ｂと、を備える。
【００４２】
各データ線１７１は、他の層または外部駆動回路との接続のための広いデータパッド部１７９を備える。
【００４３】
第１のドレイン電極１７５ａは、第１のソース電極１７３ａと向かい合う端部と、面積が広い他の端部と、を備え、第１のゲート電極１２４ａ及び第１の半導体１５４ａに沿って薄膜トランジスタ（ＴＦＴ）を形成する。
【００４４】
第２のドレイン電極１７５ｂは、第２のソース電極１７３ｂと向かい合う端部と、面積が広い他の端部と、を備え、第２のゲート電極１２４ｂ及び第２の半導体１５４ｂに沿って薄膜トランジスタ（ＴＦＴ）を形成する。
【００４５】
補償電圧線１３１はデータ線１７１と平行に延び、２つの画素列ごとに一つずつ配置される。データ線１７１及び補償電圧線１３１は交互に配置される。
【００４６】
補償電圧線１３１は、複数の拡張部１３５と、他の層または外部駆動回路との接続のための広い補償パッド部１３９と、を備える。
【００４７】
複数のデータ線１７１と、複数のドレイン電極１７５ａ、１７５ｂ及び複数の補償電圧線１３１の上には、第１の保護膜１８０ｘが形成される。第１の保護膜１８０ｘは、有機絶縁物質や無機絶縁物質などで形成されてもよい。
【００４８】
第１の保護膜１８０ｘの上には、有機膜１８０が形成される。有機膜１８０は第１の保護膜１８０ｘよりも厚く、平らな表面を有してもよい。
【００４９】
本発明の他の実施形態に係る液晶表示装置の場合、有機膜１８０は省略可能である。本発明の他の実施形態に係る液晶表示装置の場合、有機膜１８０はカラーフィルタであってもよく、この場合、有機膜１８０の上に配置される膜をさらに備えてもよい。例えば、カラーフィルタの上に配置されてカラーフィルタの顔料が液晶層に流入することを防ぐためのキャッピング膜（ｃａｐｐｉｎｇ ｌａｙｅｒ）をさらに備えてもよく、キャッピング膜は窒化ケイ素（ＳｉＮｘ）などの絶縁物質で形成されてもよい。
【００５０】
有機膜１８０は、複数の画素が配設される表示領域（ｄｉｓｐｌａｙ ａｒｅａ）に配設され、ゲートパッド部１２９と、データパッド部１７９及び補償パッド部１３９などが形成される周辺領域（ｐｅｒｉｐｈｅｒａｌ ａｒｅａ）には配設されない。
【００５１】
表示領域に配設される有機膜１８０の第１の高さＨ１は、ゲートパッド部１２９と、データパッド部１７９及び補償パッド部１３９の周りに配設される有機膜１８０の第２の高さＨ２よりも高い。
【００５２】
有機膜１８０及び第１の保護膜１８０ｘは、第１のドレイン電極１７５ａを露出させる第１のコンタクト孔１８５ａと、第２のドレイン電極１７５ｂを露出させる第２のコンタクト孔１８５ｂと、補償電圧線１３１の拡張部１３５を露出させる第３のコンタクト孔１８６ａと、を有する。
【００５３】
有機膜１８０の上には、画素電極１９１及び補償電極８０が形成される。
【００５４】
画素電極１９１は、データ線１７１の第１の折曲部及び第２の折曲部とほとんど平行な曲線縁（ｃｕｒｖｅｄ ｅｄｇｅ）を備える。画素電極１９１は、ＩＴＯまたはＩＺＯなどの透明な導電層によって形成される。
【００５５】
画素電極１９１は、データ線１７１を基準として両側に一つずつ配設され、第１のコンタクト孔１８５ａを介して第１のドレイン電極１７５ａと接続されるか、あるいは、第２のコンタクト孔１８５ｂを介して第２のドレイン電極１７５ｂと接続され、画素電極１９１にはデータ電圧が印加される。
【００５６】
補償電極８０は、データ線１７１の両側に配設される２本の補償電圧線１３１と重なり合い、２本の補償電圧線１３１と平行に延びる第１の縦部８１ａ及び第２の縦部８１ｂと、第１の縦部８１ａからゲート線１２１ａ、１２１ｂが延びる方向と平行な方向に延びる第１の横部８２ａと、第２の縦部８１ｂからゲート線１２１ａ、１２１ｂが延びる方向と平行な方向に延びる第２の横部８２ｂと、第１の横部８２ａ及び第２の横部８２ｂと接続されてデータ線１７１と重なり合い、データ線１７１と平行に延びる遮蔽電極８３と、を備える。
【００５７】
補償電極８０の第１の縦部８１ａ及び第２の縦部８１ｂは、補償電圧線１３１の拡張部１３５と重なり合う複数の第１の接続部８４を備える。
【００５８】
補償電極８０の第１の接続部８４は、第３のコンタクト孔１８６ａを介して補償電圧線１３１と接続される。
【００５９】
画素電極１９１及び補償電極８０は、同一層で同時に形成される。
【００６０】
画素電極１９１及び補償電極８０の上には、第２の保護膜１８０ｙが形成される。
【００６１】
有機膜１８０と重なり合わず、ゲートパッド部１２９に対応する領域に配設される第２の保護膜１８０ｙと、第１の保護膜１８０ｘ及びゲート絶縁膜１４０は、ゲートパッド部１２９を露出させる第４のコンタクト孔１８７を有する。これと同様に、有機膜１８０と重なり合わず、データパッド部１７９に対応する領域に配設される第２の保護膜１８０ｙ及び第１の保護膜１８０ｘは、データパッド部１７９を露出させる第５のコンタクト孔１８８を有し、有機膜１８０と重なり合わず、補償パッド部１３９に対応する領域に配設される第２の保護膜１８０ｙ及び第１の保護膜１８０ｘは、補償パッド部１３９を露出させる第６のコンタクト孔１８９ａを有する。
【００６２】
第２の保護膜１８０ｙの上には、共通電極２７０及び第１のコンタクト補助部材（ｃｏｎｔａｃｔ ａｓｓｉｓｔａｎｔ）９１と、第２のコンタクト補助部材９２と、第３のコンタクト補助部材９３ａと、が形成される。
【００６３】
共通電極２７０は、画素領域に形成される複数の第１の切欠部７１を有し、複数の第１の切欠部７１によって規定される複数の第１の枝電極２７１を備える。複数の第１の枝電極２７１は、画素電極１９１と重なり合う。複数の第１の枝電極２７１は、データ線１７１と略平行な方向に延びる。
【００６４】
第１のコンタクト補助部材９１は、第１の保護膜１８０ｘ及びゲート絶縁膜１４０の第４のコンタクト孔１８７を介して露出されるゲートパッド部１２９の上に配設され、第２のコンタクト補助部材９２は、第１の保護膜１８０ｘ及び第２の保護膜１８０ｙの第５のコンタクト孔１８８を介して露出されるデータパッド部１７９の上に配設され、且つ、第３のコンタクト補助部材９３ａは、第１の保護膜１８０ｘ及び第２の保護膜１８０ｙの第６のコンタクト孔１８９ａを介して露出される補償パッド部１３９の上に形成される。
【００６５】
共通電極２７０と、第１のコンタクト補助部材９１と、第２のコンタクト補助部材９２及び第３のコンタクト補助部材９３ａは、ＩＴＯまたはＩＺＯなどの透明な導電層によって形成される。
【００６６】
図示はしないが、第２の保護膜１８０ｙ及び共通電極２７０の上には第１の配向膜（ａｌｉｇｎｍｅｎｔ ｌａｙｅｒ）が塗布され、第１の配向膜は水平配向膜であり、所定の方向にラビングされる。しかしながら、本発明の他の実施形態に係る液晶表示装置によれば、第１の配向膜は光配向されるように光反応物質を含んでもよい。
【００６７】
以下、上部表示板２００について説明する。
【００６８】
透明ガラス製またはプラスチック製の第２の絶縁基板２１０の上に遮光部材（ｌｉｇｈｔｂｌｏｃｋｉｎｇ ｍｅｍｂｅｒ）２２０が形成される。遮光部材２２０はブラックマトリックス（ｂｌａｃｋ ｍａｔｒｉｘ）とも呼ばれ、光漏れを防ぐ。
【００６９】
また、第２の基板２１０の上には複数のカラーフィルタ２３０が形成される。
【００７０】
カラーフィルタ２３０及び遮光部材２２０の上にはオーバーコート２５０が形成される。オーバーコート２５０は（有機）絶縁物で形成され、カラーフィルタ２３０が露出されることを防ぐとともに、平坦面を提供する。オーバーコート２５０は省略可能である。
【００７１】
図示はしないが、オーバーコート２５０の上には第２の配向膜が配置される。第２の配向膜は水平配向膜であり、所定の方向にラビングされる。しかしながら、本発明の他の実施形態に係る液晶表示装置によれば、第２の配向膜は光配向されるように光反応物質を含んでもよい。
【００７２】
液晶層３は複数の液晶分子を含み、液晶分子はその長軸方向が表示板１００、２００に平行に配列される。
【００７３】
画素電極１９１にはドレイン電極１７５ａ、１７５ｂからデータ電圧が印加され、共通電極２７０には表示領域の外部に配置される共通電圧印加部から所定の大きさの共通電圧が印加される。
【００７４】
電場生成電極である画素電極１９１及び共通電極２７０は、電場を生成することにより２つの電極１９１、２７０の上に配設される液晶層３の液晶分子を電場の方向と平行な方向に回転させる。このようにして決められた液晶分子の回転方向に応じて液晶層を通過する光の偏光が変わる。
【００７５】
図１から図６に示す実施形態に係る液晶表示装置の場合、下部表示板１００の第１の保護膜１８０ｘの上に有機膜１８０が配設され、上部表示板２００の上にカラーフィルタ２３０及び遮光部材２２０が配設される。しかしながら、本発明の他の実施形態に係る液晶表示装置の場合、下部表示板１００の上に有機膜１８０の代わりにカラーフィルタ２３０が配設され、上部表示板２００にはカラーフィルタ２３０が配設されなくてもよい。この場合、遮光部材２２０もまた上部表示板２００ではなく下部表示板１００の上に配設されてもよい。
【００７６】
以下、図７に基づき、本発明の実施形態に係る液晶表示装置に印加される信号について説明する。図７は、本発明の一実施形態に係る液晶表示装置に印加される一部の信号の波形図である。
【００７７】
データ線１７１及び共通電極２７０は重なり合い、これによってデータ線１７１に印加される電圧と共通電極２７０との間のカップリングによって共通電圧のリップルが発生する。共通電圧のリップルを補償するために、データ線１７１と重なり合う遮蔽電極８３を備える補償電極８０に共通電圧のリップル電圧とは反対の極性の電圧が印加されてデータ線１７１と共通電極２７０との間のカップリングに伴うリップルを防ぐ。
【００７８】
これについて、図７に基づいて説明する。
【００７９】
図７を参照すると、データ線１７１及び共通電極２７０が重なり合って第１のキャパシタＣ１を構成する。このため、データ線１７１に印加されるデータ電圧Ｄとのカップリングによって所定の大きさの電圧が印加される共通電極２７０の共通電圧Ｖｃｏｍが第１の大きさＷ１だけ変化する。このとき、補償電極８０に印加される補償電圧Ｃｃｐｓは、データ線１７１に印加されるデータ電圧Ｄとは反対の極性の電圧である。
【００８０】
データ線１７１と重なり合う補償電極８０の遮蔽電極８３及び共通電極２７０が重なり合って第２のキャパシタＣ２を構成する。このため、補償電極８０の遮蔽電極８３と共通電極２７０との間のカップリングによって所定の大きさの電圧が印加される共通電極２７０の共通電圧Ｖｃｏｍが第２の大きさＷ２だけ変化する。すなわち、データ電圧Ｄとは反対の極性の電圧を補償電極８０に印加することにより、データ電圧Ｄによる共通電圧Ｖｃｏｍの第１の大きさＷ１の変化を補償電極８０の補償電圧Ｃｃｐｓによるカップリングで補償して共通電極２７０に印加される共通電圧Ｖｃｏｍの大きさを所定の大きさに維持する。
【００８１】
以下、図８に基づき、本発明の他の実施形態に係る液晶表示装置の補償電極８０の配置について説明する。図８は、本発明の他の実施形態に係る液晶表示装置の配置図である。
【００８２】
図８を参照すると、本発明の他の実施形態に係る液晶表示装置の補償電極８０は、複数のデータ線１７１のうちの一部のデータ線１７１と重なり合う遮蔽電極８３を備える。例えば、補償電極８０の遮蔽電極８３は、隣り合う４つの画素ＰＸＡ、ＰＸＢ、ＰＸＣ、ＰＸＤのうち第１の画素ＰＸＡと第２の画素ＰＸＢとの間に配設されるデータ線１７１とは重なり合うが、第３の画素ＰＸＣと第４の画素ＰＸＤとの間に配設されるデータ線１７１とは重なり合わない。
【００８３】
図１から図６及び図７に基づいて上述した実施形態に係る液晶表示装置の多くの特徴は、本実施形態に係る液晶表示装置にいずれも適用可能である。
【００８４】
以下、図９から図１１に基づき、本発明の他の実施形態に係る液晶表示装置について説明する。図９は、本発明の他の実施形態に係る液晶表示装置の配置図であり、図１０は、図９における液晶表示装置をＸ-Ｘ線に沿って切り取った断面図であり、図１１は、図９における液晶表示装置をＸＩ-ＸＩ線に沿って切り取った断面図である。
【００８５】
図９から図１１を参照すると、本実施形態に係る液晶表示装置は、向かい合う下部表示板１００及び上部表示板２００と、これらの間に挟持される液晶層３と、を備える。
【００８６】
まず、下部表示板１００について説明する。
【００８７】
透明ガラス製またはプラスチック製の第１の絶縁基板１１０の上にゲート線１２１及び補償電圧線１３１が形成される。ゲート線１２１及び補償電圧線１３１は、同一層で共に形成される。
【００８８】
ゲート線１２１は、ゲート電極１２４及びゲートパッド部１２９を備える。
【００８９】
補償電圧線１３１はゲート線１２１と平行に延び、複数の拡張部１３５及び補償パッド部１３９を備える。
【００９０】
ゲート線１２１及び補償電圧線１３１の上にはゲート絶縁膜１４０が形成される。
【００９１】
ゲート絶縁膜１４０の上には半導体１５４が形成される。
【００９２】
半導体１５４の上にはオーミックコンタクト部材１６３、１６５が形成される。オーミックコンタクト部材１６３、１６５は対をなして半導体１５４の上に配置される。半導体１５４が酸化物半導体である場合、オーミックコンタクト部材１６３、１６５は省略可能である。
【００９３】
オーミックコンタクト部材１６３、１６５及びゲート絶縁膜１４０の上には、ソース電極１７３を備えるデータ線１７１と、ドレイン電極１７５を備えるデータ導電体と、が形成される。
【００９４】
データ線１７１は、他の層または外部駆動回路との接続のための広い端部（図示せず）を備える。データ線１７１はデータ信号を転送し、主として縦方向に延びてゲート線１２１と交差する。
【００９５】
このとき、データ線１７１は、液晶表示装置の透過率を最大にするために折り曲げられた形状を有する第１の折曲部を有し、第１の折曲部は画素領域の中間領域において第２の折曲部と接続されることによりＶ字状を形成する。
【００９６】
ソース電極１７３はデータ線１７１の一部である。ドレイン電極１７５は、ソース電極１７３と平行に延設される。このため、ドレイン電極１７５はデータ線１７１の一部と平行である。
【００９７】
ゲート電極１２４と、ソース電極１７３及びドレイン電極１７５は、半導体１５４とともに一つの薄膜トランジスタ（ｔｈｉｎ-ｆｉｌｍ-ｔｒａｎｓｉｓｔｏｒ；ＴＦＴ）を構成し、薄膜トランジスタのチャネル（ｃｈａｎｎｅｌ）は、ソース電極１７３とドレイン電極１７５との間の半導体１５４に形成される。
【００９８】
本発明の実施形態に係る液晶表示装置は、データ線１７１と同じ線の上に配設されるソース電極１７３と、データ線１７１と平行に延びるドレイン電極１７５と、を備えることにより、データ導電体が占める面積を広げることなく薄膜トランジスタの幅を広げることができ、これにより、液晶表示装置の開口率が上がる。
【００９９】
しかしながら、本発明の他の実施形態に係る液晶表示装置の場合、ソース電極１７３とドレイン電極１７５は異なる形状を有する。
【０１００】
データ導電体１７１、１７３、１７５、ゲート絶縁膜１４０及び半導体１５４のソース電極１７３とドレイン電極１７５との間に露出された部分の上には、第１の保護膜１８０ｘが配置される。第１の保護膜１８０ｘは有機絶縁物質や無機絶縁物質などで形成されてもよい。
【０１０１】
第１の保護膜１８０ｘの上には有機膜１８０が配置される。有機膜１８０は第１の保護膜１８０ｘよりも厚く、平らな表面を有してもよい。
【０１０２】
有機膜１８０は複数の画素が配設される表示領域に配設され、ゲートパッド部やデータパッド部が形成される周辺領域には配設されなくてもよい。あるいは、有機膜１８０はゲートパッド部やデータパッド部が形成される周辺領域にも配設され、周辺領域に配設される有機膜１８０は表示領域に配設される有機膜１８０よりも低い表面高さを有してもよい。
【０１０３】
有機膜１８０及び第１の保護膜１８０ｘは、ドレイン電極１７５を露出させる第７のコンタクト孔１８５を有する。
【０１０４】
有機膜１８０と、第１の保護膜１８０ｘ及びゲート絶縁膜１４０は、補償電圧線１３１を露出させる第８のコンタクト孔１８６ｂを有する。
【０１０５】
有機膜１８０の上には、画素電極１９１及び補償電極８０が形成される。補償電極８０はデータ線１７１と重なり合ってデータ線１７１に沿って延びる。補償電極８０は、補償電圧線１３１の拡張部１３５に向かって延びる第２の接続部８０ｂを備える。
【０１０６】
補償電極８０の第２の接続部８０ｂは、第８のコンタクト孔１８６ｂを介して補償電圧線１３１と接続される。
【０１０７】
画素電極１９１及び補償電極８０は、同一層で同時に形成される。
【０１０８】
画素電極１９１及び補償電極８０の上には、第２の保護膜１８０ｙが形成される。
【０１０９】
有機膜１８０と重なり合わず、ゲートパッド部１２９に対応する領域に配設される第１の保護膜１８０ｘと、第２の保護膜１８０ｙ及びゲート絶縁膜１４０は、ゲートパッド部１２９を露出させる第４のコンタクト孔１８７を有する。これと同様に、有機膜１８０と重なり合わず、データパッド部１７９に対応する領域に配設される第１の保護膜１８０ｘ及び第２の保護膜１８０ｙは、データパッド部１７９を露出させる第５のコンタクト孔１８８を有する。
【０１１０】
図１１を参照すると、有機膜１８０と重なり合わず、補償パッド部１３９に対応する領域に配設される第１の保護膜１８０ｘと、第２の保護膜１８０ｙ及びゲート絶縁膜１４０は、補償パッド部１３９を露出させる第９のコンタクト孔１８９ｂを有する。
【０１１１】
第２の保護膜１８０ｙの上には、共通電極２７０と、第１のコンタクト補助部材９１と、第２のコンタクト補助部材９２及び第４のコンタクト補助部材９３ｂが形成される。
【０１１２】
共通電極２７０は複数の第１の切欠部７１を有し、複数の第１の切欠部７１によって規定される複数の第１の枝電極２７１を備える。複数の第１の枝電極２７１は、画素電極１９１と重なり合う。複数の第１の枝電極２７１は、データ線１７１と略平行に延びる。
【０１１３】
第１のコンタクト補助部材９１は、第１の保護膜１８０ｘ及びゲート絶縁膜１４０の第４のコンタクト孔１８７を介して露出されるゲートパッド部１２９の上に形成され、第２のコンタクト補助部材９２は、第１の保護膜１８０ｘの第５のコンタクト孔１８８を介して露出されるデータパッド部１７９の上に形成される。なお、第４のコンタクト補助部材９３ｂは、第１の保護膜１８０ｘ及びゲート絶縁膜１４０の第９のコンタクト孔１８９ｂを介して露出される補償パッド部１３９の上に形成される。
【０１１４】
共通電極２７０と、第１のコンタクト補助部材９１と、第２のコンタクト補助部材９２及び第４のコンタクト補助部材９３ｂは、ＩＴＯまたはＩＺＯなどの透明な導電層によって形成される。
【０１１５】
以下、上部表示板２００について説明する。
【０１１６】
第２の絶縁基板２１０の上に遮光部材２２０及びカラーフィルタ２３０が形成され、カラーフィルタ２３０及び遮光部材２２０の上にはオーバーコート２５０が形成される。
【０１１７】
図９に示すように、本実施形態に係る液晶表示装置によれば、補償電極８０は全てのデータ線１７１と重なり合うように形成されず、一部のデータ線１７１と重なり合うように形成される。しかしながら、本発明の他の実施形態に係る液晶表示装置によれば、補償電極８０は全てのデータ線１７１と重なり合うように形成されてもよい。
【０１１８】
本実施形態に係る液晶表示装置の場合、下部表示板１００の第１の保護膜１８０ｘの上に有機膜１８０が配設され、上部表示板２００の上にカラーフィルタ２３０及び遮光部材２２０が配設される。しかしながら、本発明の他の実施形態に係る液晶表示装置の場合、下部表示板１００の上に有機膜１８０の代わりにカラーフィルタ２３０が配設され、上部表示板２００にはカラーフィルタ２３０が配設されない。この場合、遮光部材２２０もまた上部表示板２００ではなく下部表示板１００の上に配設されてもよい。
【０１１９】
図７に基づいて上述したように、本実施形態に係る液晶表示装置によれば、データ線１７１に印加される電圧と共通電極２７０との間のカップリングによって発生する共通電圧のリップルを補償するために、補償電極８０に共通電圧のリップル電圧とは反対の極性の電圧を印加してデータ線１７１と共通電極２７０との間のカップリングに伴うリップルを防ぐ。
【０１２０】
図１から図６に基づいて上述した実施形態に係る液晶表示装置の多くの特徴は、本実施形態に係る液晶表示装置にいずれも適用可能である。
【０１２１】
以下、図１２から図１７に基づき、本発明の他の実施形態に係る液晶表示装置について説明する。図１２は、本発明の他の実施形態に係る液晶表示装置の配置図であり、図１３は、図１２における液晶表示装置をＸＩＩＩ-ＸＩＩＩ線に沿って切り取った断面図であり、図１４は、図１２における液晶表示装置をＸＩＶ-ＸＩＶ線に沿って切り取った断面図である。また、図１５は、図１２における液晶表示装置をＸＶ-ＸＶ線に沿って切り取った断面図であり、図１６は、図１２における液晶表示装置をＸＶＩ-ＸＶＩ線に沿って切り取った断面図であり、図１７は、図１２における液晶表示装置をＸＶＩＩ-ＸＶＩＩ線に沿って切り取った断面図である。
【０１２２】
図１２から図１７を参照すると、本実施形態に係る液晶表示装置は、図１から図６に基づいて説明した実施形態に係る液晶表示装置と類似する。なお、同じ構成要素についての詳細な説明は省略する。
【０１２３】
図１２から図１７を参照すると、本実施形態に係る液晶表示装置は、向かい合う下部表示板１００及び上部表示板２００と、これらの間に挟持される液晶層３と、を備える。
【０１２４】
まず、下部表示板１００について説明する。
【０１２５】
第１の絶縁基板１１０の上に複数の第１のゲート線１２１ａ及び第２のゲート線１２１ｂが形成される。
【０１２６】
第１のゲート線１２１ａ及び第２のゲート線１２１ｂは、画素行と画素行との間に対をなして配置される。
【０１２７】
第１のゲート線１２１ａは第１のゲート電極１２４ａを備え、第２のゲート線１２１ｂは第２のゲート電極１２４ｂを備える。各ゲート線１２１ａ、１２１ｂは他の層または外部駆動回路との接続のための広いゲートパッド部１２９を備える。
【０１２８】
複数のゲート線１２１ａ、１２１ｂの上には、ゲート絶縁膜１４０が形成される。
【０１２９】
ゲート絶縁膜１４０の上には、第１の半導体１５４ａ及び第２の半導体１５４ｂが形成される。
【０１３０】
半導体１５４ａ、１５４ｂの上には、オーミックコンタクト部材１６３ａ、１６５ａが形成される。
【０１３１】
オーミックコンタクト部材１６３ａ、１６５ａの上には、複数のデータ線１７１と、複数のドレイン電極１７５ａ、１７５ｂと、複数の補償電圧線１３１と、が形成される。
【０１３２】
データ線１７１はデータ信号を転送し、主として縦方向に延びてゲート線１２１ａ、１２１ｂと交差する。各データ線１７１は、２つの画素列ごとに一つずつ配置される。
【０１３３】
各データ線１７１は、第１のゲート電極１２４ａに向かって延びる第１のソース電極１７３ａと、第２のゲート電極１２４ｂに向かって延びる第２のソース電極１７３ｂと、を備える。
【０１３４】
各データ線１７１は、他の層または外部駆動回路との接続のための広いデータパッド部１７９を備える。
【０１３５】
第１のドレイン電極１７５ａは、第１のゲート電極１２４ａを中心として第１のソース電極１７３ａと向かい合い、第２のドレイン電極１７５ｂは、第２のゲート電極１２４ｂを中心として第２のソース電極１７３ｂと向かい合う。
【０１３６】
補償電圧線１３１はデータ線１７１と平行に延び、２つの画素列ごとに一つずつ配置される。データ線１７１及び補償電圧線１３１は交互に配置される。
【０１３７】
補償電圧線１３１は、複数の拡張部１３５と他の層または外部駆動回路との接続のための広い補償パッド部１３９を備える。
【０１３８】
複数のデータ線１７１と、複数のドレイン電極１７５ａ、１７５ｂ及び複数の補償電圧線１３１の上には、第１の保護膜１８０ｘが形成される。
【０１３９】
第１の保護膜１８０ｘの上には有機膜１８０が形成される。有機膜１８０は、第１の保護膜１８０ｘよりも厚く、平らな表面を有してもよい。
【０１４０】
有機膜１８０は複数の画素が配設される表示領域に配設され、ゲートパッド部１２９と、データパッド部１７９及び補償パッド部１３９などが形成される周辺領域には配設されない。
【０１４１】
有機膜１８０及び第１の保護膜１８０ｘは、第１のドレイン電極１７５ａを露出させる第１のコンタクト孔１８５ａと、第２のドレイン電極１７５ｂを露出させる第２のコンタクト孔１８５ｂと、補償電圧線１３１の拡張部１３５を露出させる第３のコンタクト孔１８６ａと、を有する。
【０１４２】
有機膜１８０の上には、画素電極１９１及び補償電極８０が形成される。
【０１４３】
画素電極１９１はデータ線１７１を基準として両側に一つずつ配設され、第１のコンタクト孔１８５ａを介して第１のドレイン電極１７５ａと接続されるか、あるいは、第２のコンタクト孔１８５ｂを介して第２のドレイン電極１７５ｂと接続され、画素電極１９１にはデータ電圧が印加される。
【０１４４】
補償電極８０は、データ線１７１の両側に配設される２本の補償電圧線１３１と重なり合い、２本の補償電圧線１３１と平行に延びる第１の縦部８１ａ及び第２の縦部８１ｂと、第１の縦部８１ａからゲート線１２１ａ、１２１ｂが延びる方向と平行な方向に延びる第１の横部８２ａと、第２の縦部８１ｂからゲート線１２１ａ、１２１ｂが延びる方向と平行な方向に延びる第２の横部８２ｂと、第１の横部８２ａ及び第２の横部８２ｂと接続されてデータ線１７１と重なり合い、データ線１７１と平行に延びる遮蔽電極８３と、を備える。
【０１４５】
補償電極８０の第１の縦部８１ａ及び第２の縦部８１ｂは、補償電圧線１３１の拡張部１３５と重なり合う複数の第１の接続部８４を備える。
【０１４６】
画素電極１９１及び補償電極８０は、同一層で同時に形成される。
【０１４７】
補償電極８０の第１の接続部８４は、第３のコンタクト孔１８６ａを介して補償電圧線１３１と接続される。
【０１４８】
有機膜１８０と重なり合わず、ゲートパッド部１２９に対応する領域に配設される第１の保護膜１８０ｘ及びゲート絶縁膜１４０は、ゲートパッド部１２９を露出させる第４のコンタクト孔１８７を有する。これと同様に、有機膜１８０と重なり合わず、データパッド部１７９に対応する領域に配設される第１の保護膜１８０ｘはデータパッド部１７９を露出させる第５のコンタクト孔１８８を有し、有機膜１８０と重なり合わず、補償パッド部１３９に対応する領域に配設される第１の保護膜１８０ｘは、補償パッド部１３９を露出させる第６のコンタクト孔１８９ａを有する。
【０１４９】
画素電極１９１及び補償電極８０の上には、第２の保護膜１８０ｙが形成される。
【０１５０】
有機膜１８０と重なり合わず、ゲートパッド部１２９に対応する領域に配設される第１の保護膜１８０ｘ及び第２の保護膜１８０ｙ並びにゲート絶縁膜１４０は、ゲートパッド部１２９を露出させる第４のコンタクト孔１８７を有する。これと同様に、有機膜１８０と重なり合わず、データパッド部１７９に対応する領域に配設される第１の保護膜１８０ｘ及び第２の保護膜１８０ｙは、データパッド部１７９を露出させる第５のコンタクト孔１８８を有し、有機膜１８０と重なり合わず、補償パッド部１３９に対応する領域に配設される第１の保護膜１８０ｘ及び第２の保護膜１８０ｙは、補償パッド部１３９を露出させる第６のコンタクト孔１８９ａを有する。
【０１５１】
第２の保護膜１８０ｙの上には、共通電極２７０と、第１のコンタクト補助部材９１と、第２のコンタクト補助部材９２及び第３のコンタクト補助部材９３が形成される。
【０１５２】
共通電極２７０は、画素領域に形成される複数の第１の切欠部７１を有し、複数の第１の切欠部７１によって規定される複数の第１の枝電極２７１を備える。複数の第１の枝電極２７１は、画素電極１９１と重なり合う。複数の第１の枝電極２７１は、データ線１７１と略平行な方向に延びる。
【０１５３】
共通電極２７０は、データ線１７１と重なり合う領域に形成される第２の切欠部２７４を備える。
【０１５４】
第１のコンタクト補助部材９１は、第１の保護膜１８０ｘ及び第２の保護膜１８０ｙ並びにゲート絶縁膜１４０の第４のコンタクト孔１８７を介して露出されるゲートパッド部１２９の上に形成され、第２のコンタクト補助部材９２は、第１の保護膜１８０ｘ及び第２の保護膜１８０ｙの第５のコンタクト孔１８８を介して露出されるデータパッド部１７９の上に形成され、且つ、第３のコンタクト補助部材９３ａは、第１の保護膜１８０ｘ及び第２の保護膜１８０ｙの第６のコンタクト孔１８９ａを介して露出される補償パッド部１３９の上に形成される。
【０１５５】
上述したように、図１から図６に基づいて説明した実施形態に係る液晶表示装置とは異なり、本実施形態に係る液晶表示装置の共通電極２７０は、データ線１７１と重なり合う部分に形成される第２の切欠部２７４をさらに有する。共通電極２７０は、データ線１７１と重なり合う領域に形成される第２の切欠部２７４をさらに備えることにより、データ線１７１と共通電極２７０との間の重なり合う面積を狭めることができる。これにより、データ線１７１と共通電極２７０との間のカップリングを低減することができ、データ線１７１と共通電極２７０との間のカップリングによって発生する共通電圧のリップルをさらに防ぐことができる。
【０１５６】
以下、上部表示板２００について説明する。
【０１５７】
第２の絶縁基板２１０の上に遮光部材２２０及びカラーフィルタ２３０が形成され、カラーフィルタ２３０及び遮光部材２２０の上にはオーバーコート２５０が形成される。
【０１５８】
液晶層３は複数の液晶分子を含み、液晶分子はその長軸方向が表示板１００、２００に平行に配列される。
【０１５９】
画素電極１９１にはドレイン電極１７５ａ、１７５ｂからデータ電圧が印加され、共通電極２７０には、表示領域の外部に配置される共通電圧印加部から所定の大きさの共通電圧が印加される。
【０１６０】
電場生成電極である画素電極１９１及び共通電極２７０は、電場を生成することにより２つの電極１９１、２７０の上に配設される液晶層３の液晶分子を電場の方向と平行な方向に回転させる。このようにして決定された液晶分子の回転方向に応じて液晶層を通過する光の偏光が変わる。
【０１６１】
図１２から図１７に示す実施形態に係る液晶表示装置の場合、下部表示板１００の第１の保護膜１８０ｘの上に有機膜１８０が配設され、上部表示板２００の上にカラーフィルタ２３０及び遮光部材２２０が配設される。しかしながら、本発明の他の実施形態に係る液晶表示装置の場合、下部表示板１００の上に有機膜１８０の代わりにカラーフィルタ２３０が配設され、上部表示板２００にはカラーフィルタ２３０が配設されない。この場合、遮光部材２２０もまた上部表示板２００ではなく下部表示板１００の上に配設されてもよい。
【０１６２】
図７に基づいて上述したように、本実施形態に係る液晶表示装置によれば、データ線１７１に印加される電圧と共通電極２７０との間のカップリングによって発生する共通電圧のリップルを補償するために、補償電極８０にリップル電圧とは反対の極性の電圧が印加されて、データ線１７１と共通電極２７０との間のカップリングに伴うリップルを防ぐ。
【０１６３】
また、本実施形態に係る液晶表示装置によれば、共通電極２７０は、データ線１７１と重なり合う部分に形成される第２の切欠部２７４を有することにより、データ線１７１と共通電極２７０との間の重なり合う面積を狭めることができる。これにより、データ線１７１と共通電極２７０との間のカップリングを低減することができて、データ線１７１と共通電極２７０との間のカップリングによって発生する共通電圧のリップルをさらに防ぐことができる。
【０１６４】
図１から図６に基づいて上述した実施形態に係る液晶表示装置の多くの特徴は、本実施形態に係る液晶表示装置にいずれも適用可能である。
【０１６５】
以下、図１８から図２３に基づいて、本発明の他の実施形態に係る液晶表示装置について説明する。図１８は、本発明の他の実施形態に係る液晶表示装置の配置図であり、図１９は、図１８における液晶表示装置をＸＩＸ-ＩＸ線に沿って切り取った断面図であり、図２０は、図１８における液晶表示装置をＸＸ-ＸＸ線に沿って切り取った断面図である。また、図２１は、図１８における液晶表示装置をＸＸＩ-ＸＸＩ線に沿って切り取った断面図であり、図２２は、図１８における液晶表示装置をＸＸＩＩ-ＸＸＩＩ線に沿って切り取った断面図であり、図２３は、図１８における液晶表示装置をＸＸＩＩＩ-ＸＸＩＩＩ線に沿って切り取った断面図である。
【０１６６】
図１８から図２３を参照すると、本実施形態に係る液晶表示装置は、図１から図６に基づいて説明した実施形態に係る液晶表示装置と類似する。なお、同じ構成要素についての具体的な説明は省略する。
【０１６７】
図１８から図２３を参照すると、本発明の一実施形態に係る液晶表示装置は、向かい合う下部表示板１００及び上部表示板２００と、これらの間に挟持される液晶層３と、を備える。
【０１６８】
まず、下部表示板１００について説明する。
【０１６９】
第１の絶縁基板１１０の上に第１のゲート線１２１ａ及び第２のゲート線１２１ｂが形成される。第１のゲート線１２１ａ及び第２のゲート線１２１ｂは画素行と画素行との間に対をなして配置される。
【０１７０】
第１のゲート線１２１ａは第１のゲート電極１２４ａを備え、第２のゲート線１２１ｂは第２のゲート電極１２４ｂを備える。各ゲート線１２１ａ、１２１ｂは、他の層または外部駆動回路との接続のための広いゲートパッド部１２９を備える。
【０１７１】
複数のゲート線１２１ａ、１２１ｂの上には、ゲート絶縁膜１４０が形成される。
【０１７２】
ゲート絶縁膜１４０の上には、第１の半導体１５４ａ及び第２の半導体１５４ｂが形成される。
【０１７３】
半導体１５４ａ、１５４ｂの上には、オーミックコンタクト部材１６３ａ、１６５ａが形成される。
【０１７４】
オーミックコンタクト部材１６３ａ、１６５ａの上には、複数のデータ線１７１と、複数のドレイン電極１７５ａ、１７５ｂと、複数の補償電圧線１３１と、が形成される。
【０１７５】
データ線１７１はデータ信号を転送し、主として縦方向に延びてゲート線１２１ａ、１２１ｂと交差する。各データ線１７１は、２つの画素列ごとに一つずつ配置される。
【０１７６】
各データ線１７１は、第１のゲート電極１２４ａに向かって延びる第１のソース電極１７３ａと、第２のゲート電極１２４ｂに向かって延びる第２のソース電極１７３ｂと、を備える。
【０１７７】
各データ線１７１は、他の層または外部駆動回路との接続のための広いデータパッド部１７９を備える。
【０１７８】
第１のドレイン電極１７５ａは、第１のゲート電極１２４ａを中心として第１のソース電極１７３ａと向かい合い、第２のドレイン電極１７５ｂは、第２のゲート電極１２４ｂを中心として第２のソース電極１７３ｂと向かい合う。
【０１７９】
補償電圧線１３１はデータ線１７１と平行に延び、２つの画素列ごとに一つずつ配置される。データ線１７１及び補償電圧線１３１は、交互に配置される。
【０１８０】
補償電圧線１３１は、複数の拡張部１３５と他の層または外部駆動回路との接続のための広い補償パッド部１３９を備える。
【０１８１】
複数のデータ線１７１と、複数のドレイン電極１７５ａ、１７５ｂ及び複数の補償電圧線１３１の上には、第１の保護膜１８０ｘが形成される。
【０１８２】
第１の保護膜１８０ｘの上には、有機膜１８０が形成される。有機膜１８０は、第１の保護膜１８０ｘよりも厚く、平らな表面を有してもよい。
【０１８３】
有機膜１８０は複数の画素が配設される表示領域に配設され、ゲートパッド部１２９と、データパッド部１７９と、補償パッド部１３９などが形成される周辺領域には配設されない。
【０１８４】
表示領域に配設される有機膜１８０の第１の高さＨ１は、ゲートパッド部１２９と、データパッド部１７９及び補償パッド部１３９の周りに配設される有機膜１８０の第２の高さＨ２よりも高くてもよい。
【０１８５】
有機膜１８０及び第１の保護膜１８０ｘは、第１のドレイン電極１７５ａを露出させる第１のコンタクト孔１８５ａと、第２のドレイン電極１７５ｂを露出させる第２のコンタクト孔１８５ｂと、補償電圧線１３１の拡張部１３５を露出させる第３のコンタクト孔１８６ａと、を有する。
【０１８６】
有機膜１８０と重なり合わず、ゲートパッド部１２９に対応する領域に配設される第１の保護膜１８０ｘ及びゲート絶縁膜１４０は、ゲートパッド部１２９を露出させる第４のコンタクト孔１８７を有する。これと同様に、有機膜１８０と重なり合わず、データパッド部１７９に対応する領域に配設される第１の保護膜１８０ｘは、データパッド部１７９を露出させる第５のコンタクト孔１８８を有し、有機膜１８０と重なり合わず、補償パッド部１３９に対応する領域に配設される第１の保護膜１８０ｘは、補償パッド部１３９を露出させる第６のコンタクト孔１８９ａを有する。
【０１８７】
有機膜１８０の上には、画素電極１９１及び補償電極８０が形成される。
【０１８８】
画素電極１９１は、データ線１７１の第１の折曲部と略平行な曲線縁を備える。画素電極１９１は、ＩＴＯまたはＩＺＯなどの透明な導電層によって形成される。
【０１８９】
画素電極１９１は、データ線１７１を基準として両側に一つずつ配設され、第１のコンタクト孔１８５ａを介して第１のドレイン電極１７５ａと接続されるか、あるいは、第２のコンタクト孔１８５ｂを介して第２のドレイン電極１７５ｂと接続され、画素電極１９１にはデータ電圧が印加される。
【０１９０】
補償電極８０は、データ線１７１の両側に配設される２本の補償電圧線１３１と重なり合い、２本の補償電圧線１３１と平行に延びる第１の縦部８１ａ及び第２の縦部８１ｂと、第１の縦部８１ａからゲート線１２１ａ、１２１ｂが延びる方向と平行な方向に延びる第１の横部８２ａと、第２の縦部８１ｂからゲート線１２１ａ、１２１ｂが延びる方向と平行な方向に延びる第２の横部８２ｂと、第１の横部８２ａ及び第２の横部８２ｂと接続されてデータ線１７１と重なり合い、データ線１７１と平行に延びる遮蔽電極８３と、を備える。
【０１９１】
画素電極１９１及び補償電極８０は、同一層で同時に形成される。
【０１９２】
補償電極８０の第１の縦部８１ａ及び第２の縦部８１ｂは、補償電圧線１３１の拡張部１３５と重なり合う複数の第１の接続部８４を備える。
【０１９３】
補償電極８０の第１の接続部８４は、第３のコンタクト孔１８６ａを介して補償電圧線１３１と接続される。
【０１９４】
第１の保護膜１８０ｘ及びゲート絶縁膜１４０の第４のコンタクト孔１８７を介して露出されるゲートパッド部１２９の上には、第１のコンタクト補助部材９１が形成され、第１の保護膜１８０ｘの第５のコンタクト孔１８８を介して露出されるデータパッド部１７９の上には、第２のコンタクト補助部材９２が形成され、且つ、第１の保護膜１８０ｘの第６のコンタクト孔１８９ａを介して露出される補償パッド部１３９の上には、第３のコンタクト補助部材９３ａが形成される。
【０１９５】
画素電極１９１及び補償電極８０の上には、第２の保護膜１８０ｙが形成され、第２の保護膜１８０ｙの上には、共通電極２７０が形成される。共通電極２７０は、ＩＴＯまたはＩＺＯなどの透明な導電層によって形成される。
【０１９６】
第２の保護膜１８０ｙ及び第２の保護膜１８０ｙの上に配設される共通電極２７０は、互いに略同じ平面形状を有する。
【０１９７】
第２の保護膜１８０ｙ及び共通電極２７０は、複数の画素が配設される表示領域に配設され、ゲートパッド部やデータパッド部が形成される周辺領域には配設されなくてもよい。
【０１９８】
共通電極２７０は複数の第１の切欠部７１を有し、第２の保護膜１８０ｙは複数の第３の切欠部１８１を有する。共通電極２７０の第１の切欠部７１及び第２の保護膜１８０ｙの第３の切欠部１８１は、同じ平面形状を有する。すなわち、共通電極２７０の第１の切欠部７１の周縁は、第２の保護膜１８０ｙの第３の切欠部１８１の周縁と重なり合う。このため、第２の保護膜１８０ｙ及び共通電極２７０は、一枚の光マスクを用いて並設することができる。
【０１９９】
共通電極２７０は、第１のドレイン電極１７５ａ及び第２のドレイン電極１７５ｂの周りに形成される第６の切欠部３８ａ及び第７の切欠部３８ｂを有する。
【０２００】
図示はしないが、第２の保護膜１８０ｙの第３の切欠部１８１によって露出される画素電極１９１及び共通電極２７０の上には第１の配向膜が塗布され、第１の配向膜は水平配向膜であり、所定の方向にラビングされる。しかしながら、本発明の他の実施形態に係る液晶表示装置によれば、第１の配向膜は光配向されるように光反応物質を含んでもよい。
【０２０１】
以下、上部表示板２００について説明する。
【０２０２】
透明ガラス製またはプラスチック製の第２の絶縁基板２１０の上に遮光部材２２０が形成される。また、第２の基板２１０の上には、複数のカラーフィルタ２３０が形成される。
【０２０３】
カラーフィルタ２３０及び遮光部材２２０の上には、オーバーコート２５０が形成される。
【０２０４】
図示はしないが、オーバーコート２５０の上には、第２の配向膜が配置される。
【０２０５】
液晶層３は複数の液晶分子を含み、液晶分子はその長軸方向が表示板１００、２００に平行に配列される。
【０２０６】
画素電極１９１には、ドレイン電極１７５ａ、１７５ｂからデータ電圧が印加され、共通電極２７０には、表示領域の外部に配置される共通電圧印加部から所定の大きさの共通電圧が印加される。
【０２０７】
電場生成電極の画素電極１９１及び共通電極２７０は電場を生成することにより、２つの電極１９１、２７０の上に配設される液晶層３の液晶分子を電場の方向と平行な方向に回転させる。このようにして決定された液晶分子の回転方向に応じて液晶層を通過する光の偏光が変わる。
【０２０８】
本実施形態に係る液晶表示装置によれば、下部表示板１００の第１の保護膜１８０ｘの上に有機膜１８０が配設され、上部表示板２００の上にカラーフィルタ２３０及び遮光部材２２０が配設される。しかしながら、本発明の他の実施形態に係る液晶表示装置の場合、下部表示板１００の上に有機膜１８０の代わりにカラーフィルタ２３０が配設され、上部表示板２００にはカラーフィルタ２３０が配設されない。この場合、遮光部材２２０もまた上部表示板２００ではなく下部表示板１００の上に配設されてもよい。
【０２０９】
上述したように、本実施形態に係る液晶表示装置によれば、図１から図６に基づいて上述した実施形態に係る液晶表示装置とは異なり、共通電極２７０は複数の第１の切欠部７１を有し、第２の保護膜１８０ｙは複数の第３の切欠部１８１を有し、共通電極２７０の第１の切欠部７１及び第２の保護膜１８０ｙの第３の切欠部１８１は同じ平面形状を有する。すなわち、共通電極２７０の第１の切欠部７１の周縁は、第２の保護膜１８０ｙの第３の切欠部１８１の周縁と重なり合う。このため、第２の保護膜１８０ｙ及び共通電極２７０は、一枚の光マスクを用いて並設することができる。
【０２１０】
また、第２の保護膜１８０ｙ及び共通電極２７０は、複数の画素が配設される表示領域に配設され、ゲートパッド部やデータパッド部が形成される周辺領域には配設されなくてもよい。
【０２１１】
このように、共通電極２７０及び第２の保護膜１８０ｙを一枚の光マスクを用いて並設することにより、液晶表示装置の製造コストを削減することができる。
【０２１２】
データ線１７１及び共通電極２７０は重なり合い、これによってデータ線１７１に印加される電圧と共通電極２７０との間のカップリングによって共通電圧のリップルが発生する。しかしながら、上述したように、本発明の実施形態に係る液晶表示装置の補償電極８０は、データ線１７１と重なり合う遮蔽電極８３を備え、共通電圧のリップルを補償するために、補償電極８０に共通電圧のリップル電圧とは反対の極性の電圧が印加されて、データ線１７１と共通電極２７０との間のカップリングに伴うリップルを防ぐ。
【０２１３】
本発明の他の実施形態に係る液晶表示装置によれば、補償電極８０の遮蔽電極８３は全ての複数のデータ線１７１とは重なり合わず、複数のデータ線１７１のうちの一部のデータ線１７１と重なり合う。
【０２１４】
図１から図６及び図８に基づいて上述した実施形態に係る液晶表示装置の多くの特徴は、本実施形態に係る液晶表示装置にいずれも適用可能である。
【０２１５】
以下、図２４から図２６に基づき、本発明の他の実施形態に係る液晶表示装置について説明する。図２４は、本発明の他の実施形態に係る液晶表示装置の配置図であり、図２５は、図２４における液晶表示装置をＸＸＶ-ＸＸＶ線に沿って切り取った断面図であり、図２６は、図２４における液晶表示装置をＸＸＶＩ-ＸＸＶＩ線に沿って切り取った断面図である。
【０２１６】
図２４から図２６を参照すると、本実施形態に係る液晶表示装置は、向かい合う下部表示板１００及び上部表示板２００と、これらの間に挟持される液晶層３と、を備える。
【０２１７】
まず、下部表示板１００について説明する。
【０２１８】
透明ガラス製またはプラスチック製の第１の絶縁基板１１０の上に、ゲート線１２１及び補償電圧線１３１が形成される。ゲート線１２１及び補償電圧線１３１は、同一層で共に形成される。
【０２１９】
ゲート線１２１は、ゲート電極１２４及びゲートパッド部１２９を備える。
【０２２０】
補償電圧線１３１はゲート線１２１と平行に延び、複数の拡張部１３５及び補償パッド部１３９を備える。
【０２２１】
ゲート線１２１及び補償電圧線１３１の上には、ゲート絶縁膜１４０が形成される。
【０２２２】
ゲート絶縁膜１４０の上には、半導体１５４が形成される。
【０２２３】
半導体１５４の上には、オーミックコンタクト部材１６３、１６５が形成される。
【０２２４】
オーミックコンタクト部材１６３、１６５及びゲート絶縁膜１４０の上には、ソース電極１７３を備えるデータ線１７１と、ドレイン電極１７５を備えるデータ導電体と、が形成される。
【０２２５】
ソース電極１７３はデータ線１７１の一部であり、データ線１７１と同じ線の上に配置される。ドレイン電極１７５は、ソース電極１７３と平行に延設される。このため、ドレイン電極１７５は、データ線１７１の一部と平行である。
【０２２６】
データ導電体１７１、１７３、１７５、ゲート絶縁膜１４０及び半導体１５４の露出された部分の上には、第１の保護膜１８０ｘが配置される。
【０２２７】
第１の保護膜１８０ｘの上には、有機膜１８０が配置される。有機膜１８０は、第１の保護膜１８０ｘよりも厚く、平らな表面を有してもよい。
【０２２８】
有機膜１８０は、複数の画素が配設される表示領域に配設され、ゲートパッド部やデータパッド部が形成される周辺領域には配設されなくてもよい。あるいは、有機膜１８０は、ゲートパッド部やデータパッド部が形成される周辺領域にも配設され、周辺領域に配設される有機膜１８０は、表示領域に配設される有機膜１８０よりも低い表面高さを有してもよい。
【０２２９】
有機膜１８０及び第１の保護膜１８０ｘは、ドレイン電極１７５を露出させる第７のコンタクト孔１８５を有する。
【０２３０】
有機膜１８０と、第１の保護膜１８０ｘ及びゲート絶縁膜１４０は、補償電圧線１３１を露出させる第８のコンタクト孔１８６ｂを有する。
【０２３１】
有機膜１８０と重なり合わず、ゲートパッド部１２９に対応する領域に配設される第１の保護膜１８０ｘ及びゲート絶縁膜１４０は、ゲートパッド部１２９を露出させる第４のコンタクト孔１８７を有する。これと同様に、有機膜１８０と重なり合わず、データパッド部１７９に対応する領域に配設される第１の保護膜１８０ｘは、データパッド部１７９を露出させる第５のコンタクト孔１８８を有する。
【０２３２】
有機膜１８０と重なり合わず、補償パッド部１３９に対応する領域に配設される第１の保護膜１８０ｘ及びゲート絶縁膜１４０は、補償パッド部１３９を露出させる第９のコンタクト孔１８９ｂを有する。  
【０２３３】
有機膜１８０の上には、画素電極１９１及び補償電極８０が形成される。補償電極８０はデータ線１７１と重なり合い、データ線１７１に沿って延びる。補償電極８０は、補償電圧線１３１の拡張部１３５を向かって延びる第２の接続部８０ｂを備える。
【０２３４】
補償電極８０の第２の接続部８０ｂは、第８のコンタクト孔１８６ｂを介して補償電圧線１３１と接続される。
【０２３５】
画素電極１９１及び補償電極８０は、同一層で同時に形成される。
【０２３６】
第１の保護膜１８０ｘ及びゲート絶縁膜１４０の第４のコンタクト孔１８７を介して露出されるゲートパッド部１２９の上には、第１のコンタクト補助部材９１が形成され、第１の保護膜１８０ｘの第５のコンタクト孔１８８を介して露出されるデータパッド部１７９の上には、第２のコンタクト補助部材９２が形成される。且つ、第１の保護膜１８０ｘ及びゲート絶縁膜１４０の第９のコンタクト孔１８９ｂを介して露出される補償パッド部１３９の上には、第４のコンタクト補助部材９３ｂが形成される。
【０２３７】
画素電極１９１及び補償電極８０の上には、第２の保護膜１８０ｙが形成され、第２の保護膜１８０ｙの上には、共通電極２７０が形成される。共通電極２７０は、ＩＴＯまたはＩＺＯなどの透明な導電層によって形成される。
【０２３８】
第２の保護膜１８０ｙ及び第２の保護膜１８０ｙの上に配設される共通電極２７０は、互いに略同じ平面形状を有する。
【０２３９】
第２の保護膜１８０ｙ及び共通電極２７０は、複数の画素が配設される表示領域に配設され、ゲートパッド部やデータパッド部が形成される周辺領域には配設されなくてもよい。
【０２４０】
共通電極２７０は複数の第１の切欠部７１を有し、第２の保護膜１８０ｙは複数の第３の切欠部１８１を有する。共通電極２７０の第１の切欠部７１及び第２の保護膜１８０ｙの第３の切欠部１８１は、同じ平面形状を有する。すなわち、共通電極２７０の第１の切欠部７１の周縁は、第２の保護膜１８０ｙの第３の切欠部１８１の周縁と重なり合う。このため、第２の保護膜１８０ｙ及び共通電極２７０は、一枚の光マスクを用いて並設することができる。
【０２４１】
以下、上部表示板２００について説明する。
【０２４２】
第２の絶縁基板２１０の上に遮光部材２２０及びカラーフィルタ２３０が形成され、カラーフィルタ２３０及び遮光部材２２０の上にはオーバーコート２５０が形成される。
【０２４３】
本実施形態に係る液晶表示装置によれば、補償電極８０は全てのデータ線１７１と重なり合うようには形成されず、一部のデータ線１７１と重なり合うように形成される。しかしながら、本発明の他の実施形態に係る液晶表示装置によれば、補償電極８０は全てのデータ線１７１と重なり合うように形成されてもよい。
【０２４４】
本実施形態に係る液晶表示装置の場合、下部表示板１００の第１の保護膜１８０ｘの上に有機膜１８０が配設され、上部表示板２００の上にカラーフィルタ２３０及び遮光部材２２０が配設される。しかしながら、本発明の他の実施形態に係る液晶表示装置の場合、下部表示板１００の上に有機膜１８０の代わりにカラーフィルタ２３０が配設され、上部表示板２００にはカラーフィルタ２３０が配設されない。この場合、遮光部材２２０もまた上部表示板２００ではなく下部表示板１００の上に配設されてもよい。
【０２４５】
上述したように、本実施形態に係る液晶表示装置によれば、図９から図１１に基づいて上述した実施形態に係る液晶表示装置とは異なり、共通電極２７０は複数の第１の切欠部７１を有し、第２の保護膜１８０ｙは複数の第３の切欠部１８１を有し、共通電極２７０の第１の切欠部７１及び第２の保護膜１８０ｙの第３の切欠部１８１は同じ平面形状を有する。すなわち、共通電極２７０の第１の切欠部７１の周縁は、第２の保護膜１８０ｙの第３の切欠部１８１の周縁と重なり合う。このため、第２の保護膜１８０ｙ及び共通電極２７０は、一枚の光マスクを用いて並設することができる。
【０２４６】
また、第２の保護膜１８０ｙ及び共通電極２７０は、複数の画素が配設される表示領域に配設され、ゲートパッド部やデータパッド部が形成される周辺領域には配設されなくてもよい。
【０２４７】
このように、共通電極２７０及び第２の保護膜１８０ｙを一枚の光マスクを用いて並設することにより、液晶表示装置の製造コストを削減することができる。
【０２４８】
図７に基づいて上述したように、本実施形態に係る液晶表示装置によれば、データ線１７１に印加される電圧と共通電極２７０との間のカップリングによって発生する共通電圧のリップルを補償するために、補償電極８０にリップル電圧とは反対の極性の電圧が印加され、データ線１７１と共通電極２７０との間のカップリングに伴うリップルを防ぐ。
【０２４９】
図１から図６、図９から図１１、図１２から図１７及び図１８から図２３に基づいて上述した実施形態に係る液晶表示装置の多くの特徴は、本実施形態に係る液晶表示装置にいずれも適用可能である。
【０２５０】
以下、図２７から図３２に基づき、本発明の他の実施形態に係る液晶表示装置について説明する。図２７は、本発明の他の実施形態に係る液晶表示装置の配置図であり、図２８は、図２７における液晶表示装置をＸＸＶＩＩＩ-ＸＸＶＩＩＩ線に沿って切り取った断面図であり、図２９は、図２７における液晶表示装置をＸＸＩＸ-ＸＸＩＸ線に沿って切り取った断面図である。また、図３０は、図２７における液晶表示装置をＸＸＸ-ＸＸＸ線に沿って切り取った断面図であり、図３１は、図２７における液晶表示装置をＸＸＸＩ-ＸＸＸＩ線に沿って切り取った断面図であり、図３２は、図２７における液晶表示装置をＸＸＩＩ-ＸＸＸＩＩ線に沿って切り取った断面図である。
【０２５１】
図２７から図３２を参照すると、本実施形態に係る液晶表示装置は、図１８から図２３に基づいて説明した実施形態に係る液晶表示装置と類似する。なお、同じ構成要素についての具体的な説明は省略する。
【０２５２】
図２７から図３２を参照すると、本実施形態に係る液晶表示装置は、向かい合う下部表示板１００及び上部表示板２００と、これらの間に挟持される液晶層３と、を備える。
【０２５３】
まず、下部表示板１００について説明する。
【０２５４】
第１の絶縁基板１１０の上に、第１のゲート線１２１ａ及び第２のゲート線１２１ｂを形成される。第１のゲート線１２１ａ及び第２のゲート線１２１ｂは、画素行と画素行との間に対をなして配置される。
【０２５５】
第１のゲート線１２１ａは第１のゲート電極１２４ａを備え、第２のゲート線１２１ｂは第２のゲート電極１２４ｂを備える。各ゲート線１２１ａ、１２１ｂは、他の層または外部駆動回路との接続のための広いゲートパッド部１２９を備える。
【０２５６】
複数のゲート線１２１ａ、１２１ｂの上には、ゲート絶縁膜１４０が形成される。
【０２５７】
ゲート絶縁膜１４０の上には、第１の半導体１５４ａ及び第２の半導体１５４ｂが形成される。
【０２５８】
半導体１５４ａ、１５４ｂの上には、オーミックコンタクト部材１６３ａ、１６５ａが形成される。
【０２５９】
オーミックコンタクト部材１６３ａ、１６５ａの上には、複数のデータ線１７１と、複数のドレイン電極１７５ａ、１７５ｂと、複数の補償電圧線１３１と、が形成される。
【０２６０】
データ線１７１はデータ信号を転送し、主として縦方向に延びてゲート線１２１ａ、１２１ｂと交差する。各データ線１７１は、２つの画素列ごとに一つずつ配置される。
【０２６１】
各データ線１７１は、第１のゲート電極１２４ａに向かって延びる第１のソース電極１７３ａと、第２のゲート電極１２４ｂに向かって延びる第２のソース電極１７３ｂと、を備える。
【０２６２】
各データ線１７１は、他の層または外部駆動回路との接続のための広いデータパッド部１７９を備える。
【０２６３】
第１のドレイン電極１７５ａは、第１のゲート電極１２４ａを中心として第１のソース電極１７３ａと向かい合い、第２のドレイン電極１７５ｂは、第２のゲート電極１２４ｂを中心として第２のソース電極１７３ｂと向かい合う。
【０２６４】
補償電圧線１３１はデータ線１７１と平行に延び、２つの画素列ごとに一つずつ配置される。データ線１７１及び補償電圧線１３１は、交互に配置される。
【０２６５】
補償電圧線１３１は、複数の拡張部１３５と他の層または外部駆動回路との接続のための広い補償パッド部１３９を備える。
【０２６６】
複数のデータ線１７１と、複数のドレイン電極１７５ａ、１７５ｂ及び複数の補償電圧線１３１の上には、第１の保護膜１８０ｘが形成される。
【０２６７】
第１の保護膜１８０ｘの上には、有機膜１８０が形成される。有機膜１８０は、第１の保護膜１８０ｘよりも厚く、平らな表面を有してもよい。
【０２６８】
有機膜１８０は、複数の画素が配設される表示領域に配設され、ゲートパッド部１２９と、データパッド部１７９と、補償パッド部１３９などが形成される周辺領域には配設されない。
【０２６９】
有機膜１８０及び第１の保護膜１８０ｘは、第１のドレイン電極１７５ａを露出させる第１のコンタクト孔１８５ａと、第２のドレイン電極１７５ｂを露出させる第２のコンタクト孔１８５ｂと、補償電圧線１３１の拡張部１３５を露出させる第３のコンタクト孔１８６ａと、を有する。
【０２７０】
有機膜１８０と重なり合わず、ゲートパッド部１２９に対応する領域に配設される第１の保護膜１８０ｘ及びゲート絶縁膜１４０は、ゲートパッド部１２９を露出させる第４のコンタクト孔１８７を有する。これと同様に、有機膜１８０と重なり合わず、データパッド部１７９に対応する領域に配設される第１の保護膜１８０ｘは、データパッド部１７９を露出させる第５のコンタクト孔１８８を有し、有機膜１８０と重なり合わず、補償パッド部１３９に対応する領域に配設される第１の保護膜１８０ｘは、補償パッド部１３９を露出させる第６のコンタクト孔１８９ａを有する。
【０２７１】
有機膜１８０の上には、画素電極１９１及び補償電極８０が形成される。
【０２７２】
画素電極１９１は、データ線１７１を基準として両側に一つずつ配設され、第１のコンタクト孔１８５ａを介して第１のドレイン電極１７５ａと接続されるか、あるいは、第２のコンタクト孔１８５ｂを介して第２のドレイン電極１７５ｂと接続され、画素電極１９１にはデータ電圧が印加される。
【０２７３】
補償電極８０は、データ線１７１の両側に配設される２本の補償電圧線１３１と重なり合い、２本の補償電圧線１３１と平行に延びる第１の縦部８１ａ及び第２の縦部８１ｂと、第１の縦部８１ａからゲート線１２１ａ、１２１ｂが延びる方向と平行な方向に延びる第１の横部８２ａと、第２の縦部８１ｂからゲート線１２１ａ、１２１ｂが延びる方向と平行な方向に延びる第２の横部８２ｂと、第１の横部８２ａ及び第２の横部８２ｂと接続されてデータ線１７１と重なり合い、データ線１７１と平行に延びる遮蔽電極８３と、を備える。
【０２７４】
補償電極８０の第１の縦部８１ａ及び第２の縦部８１ｂは、補償電圧線１３１の拡張部１３５と重なり合う複数の第１の接続部８４を備える。
【０２７５】
補償電極８０の第１の接続部８４は、第３のコンタクト孔１８６ａを介して補償電圧線１３１と接続される。
【０２７６】
画素電極１９１及び補償電極８０は、同一層で同時に形成される。
【０２７７】
第１の保護膜１８０ｘ及びゲート絶縁膜１４０の第４のコンタクト孔１８７を介して露出されるゲートパッド部１２９の上には、第１のコンタクト補助部材９１が形成され、第１の保護膜１８０ｘの第５のコンタクト孔１８８を介して露出されるデータパッド部１７９の上には、第２のコンタクト補助部材９２が形成され、且つ、第１の保護膜１８０ｘの第６のコンタクト孔１８９ａを介して露出される補償パッド部１３９の上には、第３のコンタクト補助部材９３ａが形成される。
【０２７８】
画素電極１９１及び補償電極８０の上には、第２の保護膜１８０ｙが形成され、第２の保護膜１８０ｙの上には、共通電極２７０が形成される。
【０２７９】
第２の保護膜１８０ｙ及び第２の保護膜１８０ｙの上に配設される共通電極２７０は、互いに略同じ平面形状を有する。
【０２８０】
第２の保護膜１８０ｙ及び共通電極２７０は、複数の画素が配設される表示領域に配設され、ゲートパッド部やデータパッド部が形成される周辺領域には配設されなくてもよい。
【０２８１】
共通電極２７０は、複数の第１の切欠部７１を有し、第２の保護膜１８０ｙは、複数の第３の切欠部１８１を有する。
【０２８２】
図１８から図２３に基づいて説明した実施形態に係る液晶表示装置とは異なり、本実施形態に係る液晶表示装置の共通電極２７０は、データ線１７１と重なり合う部分に形成される第２の切欠部２７４をさらに有し、第２の保護膜１８０ｙは、データ線１７１と重なり合う部分に形成される第４の切欠部１８４をさらに有する。
【０２８３】
共通電極２７０の第１の切欠部７１及び第２の保護膜１８０ｙの第３の切欠部１８１は、同じ平面形状を有し、共通電極２７０の第２の切欠部２７４及び第２の保護膜１８０ｙの第４の切欠部１８４は、同じ平面形状を有する。すなわち、共通電極２７０の第１の切欠部７１の周縁は、第２の保護膜１８０ｙの第３の切欠部１８１の周縁と重なり合い、共通電極２７０の第２の切欠部２７４の周縁は、第２の保護膜１８０ｙの第４の切欠部１８４の周縁と重なり合う。このため、第２の保護膜１８０ｙ及び共通電極２７０は、一枚の光マスクを用いて並設することができる。
【０２８４】
以下、上部表示板２００について説明する。
【０２８５】
第２の絶縁基板２１０の上に遮光部材２２０及びカラーフィルタ２３０が形成され、カラーフィルタ２３０及び遮光部材２２０の上にはオーバーコート２５０が形成される。
【０２８６】
液晶層３は複数の液晶分子を含み、液晶分子はその長軸方向が表示板１００、２００に平行に配列される。
【０２８７】
画素電極１９１にはドレイン電極１７５ａ、１７５ｂからデータ電圧が印加され、共通電極２７０には表示領域外部に配置される共通電圧印加部から所定の大きさの共通電圧が印加される。
【０２８８】
電場生成電極の画素電極１９１及び共通電極２７０は電場を生成することにより、２つの電極１９１、２７０の上に配設される液晶層３の液晶分子を電場の方向と平行な方向に回転させる。このようにして決定された液晶分子の回転方向に応じて液晶層を通過する光の偏光が変わる。
【０２８９】
本実施形態に係る液晶表示装置の場合、下部表示板１００の第１の保護膜１８０ｘの上に有機膜１８０が配設され、上部表示板２００の上にカラーフィルタ２３０及び遮光部材２２０が配設される。しかしながら、本発明の他の実施形態に係る液晶表示装置の場合、下部表示板１００の上に有機膜１８０の代わりにカラーフィルタ２３０が配設され、上部表示板２００にはカラーフィルタ２３０が配設される。この場合、遮光部材２２０もまた上部表示板２００ではなく下部表示板１００の上に配設されてもよい。
【０２９０】
図７に基づいて上述したように、本実施形態に係る液晶表示装置によれば、データ線１７１に印加される電圧と共通電極２７０との間のカップリングによって発生する共通電圧のリップルを補償するために、補償電極８０にリップル電圧とは反対の極性の電圧が印加され、データ線１７１と共通電極２７０との間のカップリングに伴うリップルを防ぐ。
【０２９１】
また、本実施形態に係る液晶表示装置によれば、共通電極２７０はデータ線１７１と重なり合う部分に形成される第２の切欠部２７４をさらに有することにより、データ線１７１と共通電極２７０との間の重なり合う面積を狭めることができる。これにより、データ線１７１と共通電極２７０との間のカップリングを低減することができて、データ線１７１と共通電極２７０との間のカップリングによって発生する共通電圧のリップルをさらに防ぐことができる。
【０２９２】
図１から図６、図９から図１１、図１２から図１７及び図１８から図２３に基づいて上述 した実施形態に係る液晶表示装置の多くの特徴は、本実施形態に係る液晶表示装置にいずれも適用可能である。
【０２９３】
以下、図３３から図３５に基づき、本発明の一実施形態に係る液晶表示装置について説明する。図３３は、本発明の他の実施形態に係る液晶表示装置の配置図であり、図３４は、図３３における液晶表示装置をＸＸＸＩＶ-ＸＸＸＩＶ線に沿って切り取った断面図であり、図３５は、図３３における液晶表示装置をＸＸＸＶ-ＸＸＸＶ線に沿って切り取った断面図である。
【０２９４】
図３３から図３５を参照すると、本発明の一実施形態に係る液晶表示装置は、向かい合う下部表示板１００及び上部表示板２００と、これらの間に挟持される液晶層３と、を備える。
【０２９５】
まず、下部表示板１００について説明する。
【０２９６】
透明ガラス製またはプラスチック製の第１の絶縁基板１１０の上に、第１のゲート線１２１ａ及び第２のゲート線１２１ｂが形成される。
【０２９７】
第１のゲート線１２１ａ及び第２のゲート線１２１ｂは、画素行と画素行との間に対をなして配置される。
【０２９８】
第１のゲート線１２１ａは第１のゲート電極１２４ａを備え、第２のゲート線１２１ｂは第２のゲート電極１２４ｂを備える。各ゲート線１２１ａ、１２１ｂは、他の層または外部駆動回路との接続のための広いゲートパッド部１２９を備える。
【０２９９】
複数のゲート線１２１ａ、１２１ｂの上には、ゲート絶縁膜１４０が形成される。
【０３００】
ゲート絶縁膜１４０の上には、第１の半導体１５４ａ及び第２の半導体１５４ｂが形成される。半導体１５４ａ、１５４ｂは、酸化物半導体を含んでもよい。
【０３０１】
半導体１５４ａ、１５４ｂの上には、オーミックコンタクト部材１６３ａ、１６５ａが形成される。半導体１５４ａ、１５４ｂが酸化物半導体を含む場合、オーミックコンタクト部材１６３ａ、１６５ａは省略可能である。
【０３０２】
オーミックコンタクト部材１６３ａ、１６５ａの上には、複数のデータ線１７１と、複数のドレイン電極１７５ａ、１７５ｂと、複数の補償電圧線１３１と、が形成される。
【０３０３】
データ線１７１はデータ信号を転送し、主として縦方向に延びてゲート線１２１ａ、１２１ｂと交差する。各データ線１７１は、２つの画素列ごとに一つずつ配置される。
【０３０４】
データ線１７１は、液晶表示装置の透過率を最大にするために折り曲げられた形状を有する第１の折曲部を有し、第１の折曲部は，画素領域の中間領域におけるＶ字状のところで、第１の折曲部と所定の角度をなすように折り曲げられる第２の折曲部と接続される。
【０３０５】
各データ線１７１は、第１のゲート電極１２４ａに向かって延びる第１のソース電極１７３ａと、第２のゲート電極１２４ｂに向かって延びる第２のソース電極１７３ｂと、を備える。
【０３０６】
各データ線１７１は、他の層または外部駆動回路との接続のための広いデータパッド部１７９を備える。
【０３０７】
第１のドレイン電極１７５ａは、第１のソース電極１７３ａと向かい合う端部と、面積が広い他の端部と、を備え、第１のゲート電極１２４ａ及び第１の半導体１５４ａに沿って薄膜トランジスタ（ＴＦＴ）を形成する。
【０３０８】
第２のドレイン電極１７５ｂは、第２のソース電極１７３ｂと向かい合う端部と、面積が広い他の端部と、を備え、第２のゲート電極１２４ｂ及び第２の半導体１５４ｂに沿って薄膜トランジスタ（ＴＦＴ）を形成する。
【０３０９】
補償電圧線１３１はデータ線１７１と平行に延び、２つの画素列ごとに一つずつ配置される。データ線１７１及び補償電圧線１３１は、交互に配置される。
【０３１０】
補償電圧線１３１は、複数の拡張部１３５と他の層または外部駆動回路との接続のための広い補償パッド部１３９を備える。
【０３１１】
複数のデータ線１７１と、複数のドレイン電極１７５ａ、１７５ｂ及び複数の補償電圧線１３１の上には、第１の保護膜１８０ｘが形成される。第１の保護膜１８０ｘは、有機絶縁物質や無機絶縁物質などで形成されてもよい。
【０３１２】
第１の保護膜１８０ｘの上には、有機膜１８０が形成される。有機膜１８０は、第１の保護膜１８０ｘよりも厚く、平らな表面を有してもよい。
【０３１３】
本発明の他の実施形態に係る液晶表示装置の場合、有機膜１８０は省略可能である。本発明の他の実施形態に係る液晶表示装置の場合、有機膜１８０はカラーフィルタであってもよく、この場合、有機膜１８０の上に配置される膜をさらに備えてもよい。例えば、カラーフィルタの上に配置されてカラーフィルタの顔料が液晶層に流入することを防ぐためのキャッピング膜をさらに備えてもよく、キャッピング膜は窒化ケイ素（ＳｉＮｘ）などの絶縁物質で形成されてもよい。
【０３１４】
有機膜１８０は複数の画素が配設される表示領域に配設され、ゲートパッド部１２９と、データパッド部１７９と、補償パッド部１３９などが形成される周辺領域には配設されない。
【０３１５】
表示領域に配設される有機膜１８０の第１の高さＨ１は、ゲートパッド部１２９と、データパッド部１７９及び補償パッド部１３９の周りに配設される有機膜１８０の第２の高さＨ２よりも高い。
【０３１６】
有機膜１８０の上には、共通電極２７０が形成される。
【０３１７】
共通電極２７０は、表示領域の全般に亘って形成され、隣り合う画素に配設される共通電極２７０は、互いに接続される。共通電極２７０は、平面板状を有する。平面板状とは、未分割の一枚の面状のことをいう。
【０３１８】
共通電極２７０には、第１のドレイン電極１７５ａと重なり合う領域に形成される第６の切欠部３８ａと、第２のドレイン電極１７５ｂと重なり合う領域に形成される第７の切欠部３８ｂと、補償電圧線１３１の拡張部１３５と重なり合う領域に形成される第８の切欠部３８ｃと、が形成される。
【０３１９】
共通電極２７０の上には、第２の保護膜１８０ｙが形成される。
【０３２０】
第２の保護膜１８０ｙと、有機膜１８０及び第１の保護膜１８０ｘは、第１のドレイン電極１７５ａを露出させる第１のコンタクト孔１８５ａと、第２のドレイン電極１７５ｂを露出させる第２のコンタクト孔１８５ｂと、補償電圧線１３１の拡張部１３５を露出させる第３のコンタクト孔１８６ａと、を有する。第１のコンタクト孔１８５ａは、共通電極２７０の第６の切欠部３８ａ内に形成され、第２のコンタクト孔１８５ｂは、共通電極２７０の第７の切欠部３８ｂ内に形成され、第３のコンタクト孔１８６ａは、共通電極２７０の第８の切欠部３８ｃ内に形成される。
【０３２１】
有機膜１８０と重なり合わず、ゲートパッド部１２９に対応する領域に配設される第２の保護膜１８０ｙと、第１の保護膜１８０ｘ及びゲート絶縁膜１４０は、ゲートパッド部１２９を露出させる第４のコンタクト孔１８７を有する。これと同様に、有機膜１８０と重なり合わず、データパッド部１７９に対応する領域に配設される第２の保護膜１８０ｙ及び第１の保護膜１８０ｘは、データパッド部１７９を露出させる第５のコンタクト孔１８８を有し、有機膜１８０と重なり合わず、補償パッド部１３９に対応する領域に配設される第２の保護膜１８０ｙ及び第１の保護膜１８０ｘは、補償パッド部１３９を露出させる第６のコンタクト孔１８９ａを有する。
【０３２２】
第２の保護膜１８０ｙの上には、画素電極１９１と、補償電極８０と、第１のコンタクト補助部材９１と、第２のコンタクト補助部材９２及び第３のコンタクト補助部材９３ａが形成される。
【０３２３】
画素電極１９１は、複数の第５の切欠部９１を有する。画素電極１９１は、複数の第５の切欠部９１によって規定される複数の第２の枝電極１９２を備える。画素電極１９１の複数の第２の枝電極１９２は、データ線１７１と略平行に延び、共通電極２７０と重なり合う。
【０３２４】
画素電極１９１は、データ線１７１を基準として両側に一つずつ配設され、第１のコンタクト孔１８５ａを介して第１のドレイン電極１７５ａと接続されるか、あるいは、第２のコンタクト孔１８５ｂを介して第２のドレイン電極１７５ｂと接続され、画素電極１９１にはデータ電圧が印加される。
【０３２５】
補償電極８０は、データ線１７１の両側に配設される２本の補償電圧線１３１と重なり合い、２本の補償電圧線１３１と平行に延びる第１の縦部８１ａ及び第２の縦部８１ｂと、第１の縦部８１ａからゲート線１２１ａ、１２１ｂが延びる方向と平行な方向に延びる第１の横部８２ａと、第２の縦部８１ｂからゲート線１２１ａ、１２１ｂが延びる方向と平行な方向に延びる第２の横部８２ｂと、第１の横部８２ａ及び第２の横部８２ｂと接続されてデータ線１７１と重なり合い、データ線１７１と平行に延びる遮蔽電極８３と、を備える。
【０３２６】
補償電極８０の第１の縦部８１ａ及び第２の縦部８１ｂは、補償電圧線１３１の拡張部１３５と重なり合う複数の第１の接続部８４を備える。
【０３２７】
補償電極８０の第１の接続部８４は、第３のコンタクト孔１８６ａを介して補償電圧線１３１と接続される。
【０３２８】
第１のコンタクト補助部材９１は、第１の保護膜１８０ｘ及びゲート絶縁膜１４０の第４のコンタクト孔１８７を介して露出されるゲートパッド部１２９の上に配設され、第２のコンタクト補助部材９２は、第１の保護膜１８０ｘ及び第２の保護膜１８０ｙの第５のコンタクト孔１８８を介して露出されるデータパッド部１７９の上に配設され、且つ、第３のコンタクト補助部材９３ａは、第１の保護膜１８０ｘ及び第２の保護膜１８０ｙの第６のコンタクト孔１８９ａを介して露出される補償パッド部１３９の上に形成される。
【０３２９】
画素電極１９１と、補償電極８０と、第１のコンタクト補助部材９１と、第２のコンタクト補助部材９２及び第３のコンタクト補助部材９３ａは、ＩＴＯまたはＩＺＯなどの透明な導電層によって形成される。画素電極１９１と、補償電極８０と、第１のコンタクト補助部材９１と、第２のコンタクト補助部材９２及び第３のコンタクト補助部材９３ａは、同一層で同時に形成される。
【０３３０】
図示はしないが、第２の保護膜１８０ｙ及び画素電極１９１の上には、第１の配向膜が塗布され、第１の配向膜は、水平配向膜であり、所定の方向にラビングされる。しかしながら、本発明の他の実施形態に係る液晶表示装置によれば、第１の配向膜は光配向されるように光反応物質を含んでもよい。
【０３３１】
以下、上部表示板２００について説明する。
【０３３２】
透明ガラス製またはプラスチック製の第２の絶縁基板２１０の上に遮光部材２２０が形成される。遮光部材２２０はブラックマトリックスとも呼ばれ、光漏れを防ぐ。
【０３３３】
また、第２の基板２１０の上には、複数のカラーフィルタ２３０が形成される。
【０３３４】
カラーフィルタ２３０及び遮光部材２２０の上には、オーバーコート２５０が形成される。オーバーコート２５０は有機絶縁物で形成され、カラーフィルタ２３０が露出されることを防いで平坦面を提供する。オーバーコート２５０は、省略可能である。
【０３３５】
図示はしないが、オーバーコート２５０の上には、第２の配向膜が配置される。第２の配向膜は水平配向膜であり、所定の方向にラビングされる。しかしながら、本発明の他の実施形態に係る液晶表示装置によれば、第２の配向膜は光配向されるように光反応物質を含んでもよい。
【０３３６】
液晶層３は複数の液晶分子を含み、液晶分子はその長軸方向が表示板１００、２００に平行に配列される。
【０３３７】
画素電極１９１には、ドレイン電極１７５ａ、１７５ｂからデータ電圧が印加され、共通電極２７０には、表示領域の外部に配置される共通電圧印加部から所定の大きさの共通電圧が印加される。
【０３３８】
電場生成電極の画素電極１９１及び共通電極２７０は電場を生成することにより、２つの電極１９１、２７０の上に配設される液晶層３の液晶分子を電場の方向と平行な方向に回転させる。このようにして決定された液晶分子の回転方向に応じて液晶層を通過する光の偏光が変わる。
【０３３９】
本実施形態に係る液晶表示装置の場合、下部表示板１００の第１の保護膜１８０ｘの上に有機膜１８０が配設され、上部表示板２００の上にカラーフィルタ２３０及び遮光部材２２０が配設される。しかしながら、本発明の他の実施形態に係る液晶表示装置の場合、下部表示板１００の上に有機膜１８０の代わりにカラーフィルタ２３０が配設され、上部表示板２００にはカラーフィルタ２３０が配設されない。この場合、遮光部材２２０もまた上部表示板２００ではなく下部表示板１００の上に配設されてもよい。
【０３４０】
本実施形態に係る液晶表示装置は、図１から図６及び図８から図３２に基づいて上述した実施形態に係る液晶表示装置とは異なり、共通電極２７０は平面形状を有し、共通電極２７０の上に絶縁膜の第２の保護膜１８０ｙが形成され、画素電極１９１は複数の第２の枝電極１９２を有し、画素電極１９１の複数の第２の枝電極１９２は共通電極２７０と重なり合う。
【０３４１】
図７に基づいて上述したように、本実施形態に係る液晶表示装置によれば、データ線１７１に印加される電圧と共通電極２７０との間のカップリングによって発生する共通電圧のリップルを補償するために、補償電極８０に共通電圧のリップル電圧とは反対の極性の電圧を印加し、データ線１７１と共通電極２７０との間のカップリングに伴うリップルを防ぐ。
【０３４２】
本実施形態に係る液晶表示装置の補償電極８０の遮蔽電極８３は、全ての複数のデータ線１７１と重なり合うように形成されてもよく、複数のデータ線１７１のうちの一部のデータ線１７１と重なり合うように形成されてもよい。
【０３４３】
上述した実施形態に係る液晶表示装置の多くの特徴は、本実施形態に係る液晶表示装置にいずれも適用可能である。
【０３４４】
以下、図３６から図３８に基づき、本発明の他の実施形態に係る液晶表示装置について説明する。図３６は、本発明の他の実施形態に係る液晶表示装置の配置図であり、図３７は、図３６における液晶表示装置をＸＸＸＶＩＩ-ＸＸＸＶＩＩ線に沿って切り取った断面図であり、図３８は、図３６における液晶表示装置をＸＸＸＶＩＩＩ-ＸＸＸＶＩＩＩ線に沿って切り取った断面図である。
【０３４５】
図３６から図３８を参照すると、本実施形態に係る液晶表示装置は、向かい合う下部表示板１００及び上部表示板２００と、これらの間に挟持される液晶層３と、を備える。
【０３４６】
まず、下部表示板１００について説明する。
【０３４７】
透明ガラス製またはプラスチック製の第１の絶縁基板１１０の上に、ゲート線１２１及び補償電圧線１３１が形成される。ゲート線１２１及び補償電圧線１３１は、同一層で共に形成される。
【０３４８】
ゲート線１２１は、ゲート電極１２４及びゲートパッド部１２９を備える。
【０３４９】
補償電圧線１３１はゲート線１２１と平行に延び、複数の拡張部１３５及び補償パッド部１３９を備える。
【０３５０】
ゲート線１２１及び補償電圧線１３１の上には、ゲート絶縁膜１４０が形成される。
【０３５１】
ゲート絶縁膜１４０の上には、半導体１５４が形成される。
【０３５２】
半導体１５４の上には、オーミックコンタクト部材１６３、１６５が形成される。オーミックコンタクト部材１６３、１６５は、対をなして半導体１５４の上に配置される。半導体１５４が酸化物半導体である場合、オーミックコンタクト部材１６３、１６５は省略可能である。
【０３５３】
オーミックコンタクト部材１６３、１６５及びゲート絶縁膜１４０の上には、ソース電極１７３を備えるデータ線１７１と、ドレイン電極１７５を備えるデータ導電体と、が形成される。
【０３５４】
データ線１７１は、他の層または外部駆動回路との接続のための広い端部（図示せず）を備える。データ線１７１はデータ信号を転送し、主として縦方向に延びてゲート線１２１と交差する。
【０３５５】
このとき、データ線１７１は、液晶表示装置の透過率を最大にするために折り曲げられた形状を有する第１の折曲部を有し、第１の折曲部は画素領域の中間領域において第２の折曲部と接続されることによりＶ字状を形成する。
【０３５６】
ソース電極１７３はデータ線１７１の一部であり、データ線１７１と同じ線の上に配置される。ドレイン電極１７５は、ソース電極１７３と平行に延設される。このため、ドレイン電極１７５は、データ線１７１の一部と平行である。
【０３５７】
ゲート電極１２４と、ソース電極１７３及びドレイン電極１７５は、半導体１５４とともに一つの薄膜トランジスタ（ＴＦＴ）を構成し、薄膜トランジスタのチャネルは、ソース電極１７３とドレイン電極１７５との間の半導体１５４に形成される。
【０３５８】
本発明の実施形態に係る液晶表示装置は、データ線１７１と同じ線の上に配設されるソース電極１７３と、データ線１７１と平行に延びるドレイン電極１７５と、を備えることにより、データ導電体が占める面積を広げることなく薄膜トランジスタの幅を広げることができ、これにより、液晶表示装置の開口率が上がる。
【０３５９】
しかしながら、本発明の他の実施形態に係る液晶表示装置の場合、ソース電極１７３及びドレイン電極１７５は異なる形状を有する。
【０３６０】
データ導電体１７１、１７３、１７５と、ゲート絶縁膜１４０及び半導体１５４の露出された部分の上には、第１の保護膜１８０ｘが配置される。第１の保護膜１８０ｘは、有機絶縁物質や無機絶縁物質などで形成されてもよい。
【０３６１】
第１の保護膜１８０ｘの上には、有機膜１８０が配置される。有機膜１８０は、第１の保護膜１８０ｘよりも厚く、平らな表面を有してもよい。
【０３６２】
有機膜１８０は、複数の画素が配設される表示領域に配設され、ゲートパッド部やデータパッド部が形成される周辺領域には配設されなくてもよい。あるいは、有機膜１８０は、ゲートパッド部やデータパッド部が形成される周辺領域にも配設され、周辺領域に配設される有機膜１８０は表示領域に配設される有機膜１８０よりも低い表面高さを有してもよい。
【０３６３】
有機膜１８０の上には、共通電極２７０が形成される。
【０３６４】
共通電極２７０は、表示領域の全般に亘って形成され、隣り合う画素に配設される共通電極２７０は互いに接続される。共通電極２７０は、平面板状を有する。平面板状は、未分割の一枚の面状のことをいう。
【０３６５】
共通電極２７０には、ドレイン電極１７５と重なり合う領域に形成される第９の切欠部３８ｄと、補償電圧線１３１の拡張部１３５と重なり合う領域に形成される第１の０切欠部３８ｅと、が形成される。
【０３６６】
共通電極２７０の上には、第２の保護膜１８０ｙが形成される。
【０３６７】
第２の保護膜１８０ｙと、有機膜１８０及び第１の保護膜１８０ｘは、ドレイン電極１７５を露出させる第７のコンタクト孔１８５を有する。
【０３６８】
有機膜１８０と、第１の保護膜１８０ｘ及びゲート絶縁膜１４０は、補償電圧線１３１を露出させる第８のコンタクト孔１８６ｂを有する。
【０３６９】
第７のコンタクト孔１８５は、共通電極２７０の第９の切欠部３８ｄ内に形成され、第８のコンタクト孔１８６ｂは、共通電極２７０の第１０の切欠部３８ｅ内に形成される。
【０３７０】
有機膜１８０と重なり合わず、ゲートパッド部１２９に対応する領域に配設される第１の保護膜１８０ｘと、第２の保護膜１８０ｙ及びゲート絶縁膜１４０は、ゲートパッド部１２９を露出させる第４のコンタクト孔１８７を有する。これと同様に、有機膜１８０と重なり合わず、補償パッド部１３９に対応する領域に配設される第１の保護膜１８０ｘと、第２の保護膜１８０ｙ及びゲート絶縁膜１４０は、補償パッド部１３９を露出させる第９のコンタクト孔１８９ｂを有する。
【０３７１】
有機膜１８０と重なり合わず、データパッド部１７９に対応する領域に配設される第１の保護膜１８０ｘ及び第２の保護膜１８０ｙは、データパッド部１７９を露出させる第５のコンタクト孔１８８を有する。
【０３７２】
第２の保護膜１８０ｙの上には、画素電極１９１と、補償電極８０と、第１のコンタクト補助部材９１と、第２のコンタクト補助部材９２及び第４のコンタクト補助部材９３ｂが形成される。
【０３７３】
画素電極１９１は、複数の第５の切欠部９１を有する。画素電極１９１は、複数の第５の切欠部９１によって規定される複数の第２の枝電極１９２を備える。画素電極１９１の複数の第２の枝電極１９２は、データ線１７１と略平行に延び、共通電極２７０と重なり合う。
【０３７４】
補償電極８０はデータ線１７１と重なり合い、データ線１７１に沿って延びる。補償電極８０は、補償電圧線１３１の拡張部１３５に向かって延びる第２の接続部８０ｂを備える。
【０３７５】
補償電極８０の第２の接続部８０ｂは、第８のコンタクト孔１８６ｂを介して補償電圧線１３１と接続される。
【０３７６】
第１のコンタクト補助部材９１は、第１の保護膜１８０ｘ及びゲート絶縁膜１４０の第４のコンタクト孔１８７を介して露出されるゲートパッド部１２９の上に形成され、第２のコンタクト補助部材９２は、第１の保護膜１８０ｘの第５のコンタクト孔１８８を介して露出されるデータパッド部１７９の上に形成される。なお、第４のコンタクト補助部材９３ｂは、第１の保護膜１８０ｘ及びゲート絶縁膜１４０の第９のコンタクト孔１８９ｂを介して露出される補償パッド部１３９の上に形成される。
【０３７７】
画素電極１９１と、補償電極８０と、第１のコンタクト補助部材９１と、第２のコンタクト補助部材９２及び第４のコンタクト補助部材９３ｂは、ＩＴＯまたはＩＺＯなどの透明な導電層によって形成される。画素電極１９１と、補償電極８０と、第１のコンタクト補助部材９１と、第２のコンタクト補助部材９２及び第４のコンタクト補助部材９３ｂは、同一層で同時に形成される。
【０３７８】
以下、上部表示板２００について説明する。
【０３７９】
第２の絶縁基板２１０の上に遮光部材２２０及びカラーフィルタ２３０が形成され、カラーフィルタ２３０及び遮光部材２２０の上にはオーバーコート２５０が形成される。
【０３８０】
本実施形態に係る液晶表示装置によれば、補償電極８０は全てのデータ線１７１と重なり合うようには形成されず、一部のデータ線１７１と重なり合うように形成される。しかしながら、本発明の他の実施形態に係る液晶表示装置によれば、補償電極８０は全てのデータ線１７１と重なり合うように形成されてもよい。
【０３８１】
本実施形態に係る液晶表示装置の場合、下部表示板１００の第１の保護膜１８０ｘの上に有機膜１８０が配設され、上部表示板２００の上にカラーフィルタ２３０及び遮光部材２２０が配設される。しかしながら、本発明の他の実施形態に係る液晶表示装置の場合、下部表示板１００の上に有機膜１８０の代わりにカラーフィルタ２３０が配設され、上部表示板２００にはカラーフィルタ２３０が配設されない。この場合、遮光部材２２０もまた上部表示板２００ではなく下部表示板１００の上に配設されてもよい。
【０３８２】
本実施形態に係る液晶表示装置は、図１から図６及び図８から図３２に基づいて上述した実施形態に係る液晶表示装置とは異なり、共通電極２７０は平面状を有し、共通電極２７０の上に絶縁膜の第２の保護膜１８０ｙが形成され、画素電極１９１は複数の第２の枝電極１９２を有し、画素電極１９１の複数の第２の枝電極１９２は共通電極２７０と重なり合う。
【０３８３】
図７に基づいて上述したように、本実施形態に係る液晶表示装置によれば、データ線１７１に印加される電圧と共通電極２７０との間のカップリングによって発生する共通電圧のリップルを補償するために、補償電極８０に共通電圧のリップル電圧とは反対の極性の電圧が印加され、データ線１７１と共通電極２７０との間のカップリングに伴うリップルを防ぐ。
【０３８４】
上述した実施形態に係る液晶表示装置の多くの特徴は、本実施形態に係る液晶表示装置にいずれも適用可能である。
【０３８５】
以下、図３９に基づき、本発明の他の実施形態に係る液晶表示装置について説明する。図３９は、本発明の他の実施形態に係る液晶表示装置の配置図である。
【０３８６】
図３９を参照すると、本実施形態に係る液晶表示装置は、図３３から図３５に基づいて説明した実施形態に係る液晶表示装置と類似する。なお、同じ構成要素についての具体的な説明は省略する。
【０３８７】
図３９を参照すると、図３３から図３５に示す実施形態とは異なり、本実施形態に係る液晶表示装置の共通電極２７０は、データ線１７１と重なり合う個所に形成される第２の切欠部２７４をさらに備える。
【０３８８】
共通電極２７０は、データ線１７１と重なり合う領域に形成される第２の切欠部２７４をさらに備えることにより、データ線１７１と共通電極２７０との間の重なり合う面積を狭めることができる。これにより、データ線１７１と共通電極２７０との間のカップリングを低減することができ、データ線１７１と共通電極２７０との間のカップリングによって発生する共通電圧のリップルをさらに防ぐことができる。
【０３８９】
上述した実施形態に係る液晶表示装置の多くの特徴は、本実施形態に係る液晶表示装置にいずれも適用可能である。
【０３９０】
このように、本発明の実施形態に係る液晶表示装置によれば、一枚の表示板の上に２つの電場生成電極を形成し、データ線と共通電極との間のカップリングによって発生する共通電圧のリップルを防ぎながらも、製造コストの高騰を防ぐことができる。
【０３９１】
以上、本発明の好適な実施形態について詳細に説明したが、本発明の権利範囲はこれに何ら限定されるものではなく、下記の特許請求の範囲において限定している本発明の基本概念を用いた当業者の種々の変形及び改良形態もまた本発明の権利範囲に属する。
【図１】
2015114669.tif 000003
【図２】
2015114669.tif 000004
【図３】
2015114669.tif 000005
【図４】
2015114669.tif 000006
【図５】
2015114669.tif 000007
【図６】
2015114669.tif 000008
【図７】
2015114669.tif 000009
【図８】
2015114669.tif 000010
【図９】
2015114669.tif 000011
【図１０】
2015114669.tif 000012
【図１１】
2015114669.tif 000013
【図１２】
2015114669.tif 000014
【図１３】
2015114669.tif 000015
【図１４】
2015114669.tif 000016
【図１５】
2015114669.tif 000017
【図１６】
2015114669.tif 000018
【図１７】
2015114669.tif 000019
【図１８】
2015114669.tif 000020
【図１９】
2015114669.tif 000021
【図２０】
2015114669.tif 000022
【図２１】
2015114669.tif 000023
【図２２】
2015114669.tif 000024
【図２３】
2015114669.tif 000025
【図２４】
2015114669.tif 000026
【図２５】
2015114669.tif 000027
【図２６】
2015114669.tif 000028
【図２７】
2015114669.tif 000029
【図２８】
2015114669.tif 000030
【図２９】
2015114669.tif 000031
【図３０】
2015114669.tif 000032
【図３１】
2015114669.tif 000033
【図３２】
2015114669.tif 000034
【図３３】
2015114669.tif 000035
【図３４】
2015114669.tif 000036
【図３５】
2015114669.tif 000037
【図３６】
2015114669.tif 000038
【図３７】
2015114669.tif 000039
【図３８】
2015114669.tif 000040
【図３９】
2015114669.tif 000041